(57)【要約】ワイヤレス通信のための方法、システム、およびデバイスが説明される。ユーザ装置（ＵＥ）は、基地局に、ＵＥがサポートすることができるアップリンク（ＵＬ）コンポーネントキャリア（ＣＣ）の数を示し得る。基地局は、キャリアアグリゲーション（ＣＡ）について、および１つまたは複数の補助的なＵＬ  ＣＣについて、ＵＥを構成し得る。ＣＡ構成は、ＵＬデータ送信のためのＣＣを含み得、補助的なＵＬ構成は、ＵＬ基準信号またはランダムアクセスチャネル送信のためのＣＣを含み得る。補助的なＵＬ  ＣＣは、よって、もしそうではない場合にＵＥがそれらのＣＣ上でのＵＬデータ送信のために構成されないとしても、サウンディング基準信号（ＳＲＳ）送信のために使用され得る。ＣＡキャリア上でのＵＬデータ送信は、ＵＥ性能に応じて、ＳＲＳ送信と同じ時間に、または異なる送信時間間隔（ＴＴＩ）の間に、送られ得る。
2019510420.tif 000002
【特許請求の範囲】
【請求項１】
ワイヤレス通信のための方法であって、
ユーザ装置（ＵＥ）性能のインジケーションを送信することと、
キャリアアグリゲーション（ＣＡ）構成および補助的なＵＬ構成を受信することと、前記ＣＡ構成は、ＵＬデータ送信のために構成された１つまたは複数のキャリアを備え、前記補助的なＵＬ構成は、ＵＬ基準信号送信のために構成された１つまたは複数のキャリアを備える、
前記ＣＡ構成および前記ＵＥ性能に基づいて、前記補助的なＵＬ構成の前記１つまたは複数のキャリアを使用して、サウンディング基準信号（ＳＲＳ）を送信することと、
を備える、方法。
【請求項２】
前記ＣＡ構成は、ダウンリンク（ＤＬ）送信のために構成された第１の数のキャリアを備え、前記第１の数は、ＵＬデータ送信のために構成された前記１つまたは複数のキャリアの第２の数よりも大きい、請求項１に記載の方法。
【請求項３】
前記送信されたＳＲＳまたは前記ＳＲＳのロケーション、あるいはその両方に少なくとも部分的に基づいて、１つまたは複数のスイッチングシンボルを識別することと、
前記１つまたは複数のスイッチングシンボルに少なくとも部分的に基づいて、ＵＬデータ送信をレートマッチまたはパンクチャすることと、
前記１つまたは複数のスイッチングシンボルの後のシンボル期間の間に前記ＵＬデータ送信を開始することと、
をさらに備える、請求項１に記載の方法。
【請求項４】
前記１つまたは複数のスイッチングシンボルは、サブフレームにおける、前記ＳＲＳを備えるシンボルの、前記サブフレームの他のシンボルに対するロケーションに少なくとも部分的に基づいて識別される、請求項３に記載の方法。
【請求項５】
前記ＵＥ性能の前記インジケーションは、スイッチング時間のインジケーションを備え、前記１つまたは複数のスイッチングシンボルは、前記スイッチング時間に少なくとも部分的に基づく、請求項３に記載の方法。
【請求項６】
前記ＳＲＳと同じ送信時間間隔（ＴＴＩ）の間に、ＵＬデータ送信のために構成された前記１つまたは複数のキャリア上で、ＵＬデータ送信を送信すること、
をさらに備える、請求項１に記載の方法。
【請求項７】
ＵＬデータ送信のために構成された前記１つまたは複数のキャリアは、時分割複信（ＴＤＤ）のために構成された少なくとも１つのキャリアを備える、請求項１に記載の方法。
【請求項８】
追加的なＳＲＳを送信すること、ここにおいて、前記ＳＲＳは、第１のセットのアンテナを使用して送信され、前記追加的なＳＲＳは、第２のセットのアンテナを使用して送信される、
をさらに備える、請求項１に記載の方法。
【請求項９】
前記第１のセットのアンテナは、前記ＳＲＳのために使用される前記１つまたは複数のキャリア上での送信のために選択され、前記第２のセットのアンテナは、前記追加的なＳＲＳのために使用される追加的なキャリア上での送信のために選択される、請求項８に記載の方法。
【請求項１０】
前記ＳＲＳは、周期的なＳＲＳまたは非周期的なＳＲＳであり、および前記追加的なＳＲＳは、周期的なＳＲＳまたは非周期的なＳＲＳであり、ここにおいて、前記第１のセットのアンテナは、前記ＳＲＳが前記周期的なＳＲＳであることに少なくとも部分的に基づいて選択され、前記第２のセットのアンテナは、前記追加的なＳＲＳが前記非周期的なＳＲＳであることに少なくとも部分的に基づいて選択される、請求項８に記載の方法。
【請求項１１】
無線リソース制御（ＲＲＣ）シグナリングまたはダウンリンク制御情報（ＤＣＩ）を受信すること、ここにおいて、前記第１のセットのアンテナまたは前記第２のセットのアンテナは、前記ＲＲＣシグナリングまたは前記ＤＣＩに少なくとも部分的に基づいて選択される、
をさらに備える、請求項１０に記載の方法。
【請求項１２】
前記補助的なＵＬ構成の前記１つまたは複数のキャリア上で、物理ランダムアクセスチャネル（ＰＲＡＣＨ）メッセージを送信すること、
をさらに備える、請求項１に記載の方法。
【請求項１３】
第２のタイミング調節グループ（ＴＡＧ）に関する第２の補助的な構成を受信すること、ここにおいて、前記補助的なＵＬ構成は、第１のＴＡＧに関連する、
をさらに備える、請求項１に記載の方法。
【請求項１４】
前記ＣＡ構成は、前記補助的なＵＬ構成を備える、請求項１に記載の方法。
【請求項１５】
前記補助的なＵＬ構成は、前記ＣＡ構成とは異なる、請求項１に記載の方法。
【請求項１６】
前記ＣＡ構成は、デュアルコネクティビティ構成の一部である、請求項１に記載の方法。
【請求項１７】
ＵＬデータ送信のために構成された前記１つまたは複数のキャリアは、第１のタイミング調節グループ（ＴＡＧ）のキャリアを備え、ＵＬ基準信号のために構成された前記１つまたは複数のキャリアは、第２のＴＡＧのキャリアを備える、請求項１に記載の方法。
【請求項１８】
ワイヤレス通信のための方法であって、
ユーザ装置（ＵＥ）性能のインジケーションを受信することと、
前記ＵＥのためのキャリアアグリゲーション（ＣＡ）構成および補助的なＵＬ構成を送信することと、前記ＣＡ構成は、前記ＵＥによるＵＬデータ送信のために構成された１つまたは複数のキャリアを備え、前記補助的なＵＬ構成は、前記ＵＥによるＵＬ基準信号送信のために構成された１つまたは複数のキャリアを備える、
前記ＣＡ構成および前記ＵＥ性能に基づいて、前記補助的なＵＬ構成の前記１つまたは複数のキャリアを使用して、サウンディング基準信号（ＳＲＳ）を受信することと、
を備える、方法。
【請求項１９】
前記ＣＡ構成は、ダウンリンク（ＤＬ）送信のために構成された第１の数のキャリアを備え、前記第１の数は、ＵＬデータ送信のために構成された前記１つまたは複数のキャリアの第２の数よりも大きい、請求項１８に記載の方法。
【請求項２０】
ＵＬデータ送信のために構成された前記１つまたは複数のキャリア上で、ＵＬデータ送信を受信すること、ここにおいて、前記ＵＬデータは、前記ＳＲＳと同じ送信時間間隔（ＴＴＩ）の間に受信される、
をさらに備える、請求項１８に記載の方法。
【請求項２１】
前記ＳＲＳに少なくとも部分的に基づいて、１つまたは複数のスイッチングシンボルを識別することと、
前記１つまたは複数のスイッチングシンボルの後のシンボル期間の間に、ＵＥからＵＬデータ送信を受信することと、
をさらに備える、請求項１８に記載の方法。
【請求項２２】
前記ＵＥ性能の前記インジケーションは、スイッチング時間のインジケーションを備え、前記１つまたは複数のスイッチングシンボルは、前記スイッチング時間に少なくとも部分的に基づく、請求項２１に記載の方法。
【請求項２３】
前記補助的なＵＬ構成の１つまたは複数のキャリア上で、前記ＵＥから、物理ランダムアクセスチャネル（ＰＲＡＣＨ）メッセージを受信すること、
をさらに備える、請求項１８に記載の方法。
【請求項２４】
第２のタイミング調節グループ（ＴＡＧ）に関する第２の補助的な構成を送信すること、ここにおいて、前記補助的なＵＬ構成は、第１のＴＡＧに関連する、
をさらに備える、請求項１８に記載の方法。
【請求項２５】
ワイヤレス通信のためのモバイルデバイスであって、
モバイルデバイス性能のインジケーションを送信するための手段と、
キャリアアグリゲーション（ＣＡ）構成および補助的なＵＬ構成を受信するための手段と、前記ＣＡ構成は、ＵＬデータ送信のために構成された１つまたは複数のキャリアを備え、前記補助的なＵＬ構成は、ＵＬ基準信号送信のために構成された１つまたは複数のキャリアを備える、
前記ＣＡ構成および前記モバイルデバイス性能に基づいて、前記補助的なＵＬ構成の前記１つまたは複数のキャリア上で、サウンディング基準信号（ＳＲＳ）を送信するための手段と、
を備える、モバイルデバイス。
【請求項２６】
前記ＣＡ構成は、ダウンリンク（ＤＬ）送信のために構成された第１の数のキャリアを備え、前記第１の数は、ＵＬデータ送信のために構成された前記１つまたは複数のキャリアの第２の数よりも大きい、請求項２５に記載のモバイルデバイス。
【請求項２７】
前記送信されたＳＲＳまたは前記ＳＲＳのロケーション、あるいはその両方に少なくとも部分的に基づいて、１つまたは複数のスイッチングシンボルを識別するための手段と、
前記１つまたは複数のスイッチングシンボルに少なくとも部分的に基づいて、ＵＬデータ送信をレートマッチまたはパンクチャするための手段と、
前記１つまたは複数のスイッチングシンボルの後のシンボル期間の間に、前記ＵＬデータ送信を開始するための手段と、
をさらに備える、請求項２５に記載のモバイルデバイス。
【請求項２８】
前記ＳＲＳと同じ送信時間間隔（ＴＴＩ）の間に、ＵＬデータ送信のために構成された前記１つまたは複数のキャリア上で、ＵＬデータ送信を送信するための手段、
をさらに備える、請求項２５に記載のモバイルデバイス。
【請求項２９】
ワイヤレス通信のためのネットワークデバイスであって、
ユーザ装置（ＵＥ）性能のインジケーションを受信するための手段と、
前記ＵＥのためのキャリアアグリゲーション（ＣＡ）構成および補助的なＵＬ構成を送信するための手段と、前記ＣＡ構成は、ＵＬデータ送信のために構成された１つまたは複数のキャリアを備え、前記補助的なＵＬ構成は、ＵＬ基準信号送信のために構成された１つまたは複数のキャリアを備える、
前記ＣＡ構成および前記ＵＥ性能に基づいて、前記補助的なＵＬ構成の前記１つまたは複数のキャリア上で、サウンディング基準信号（ＳＲＳ）を受信するための手段と、
を備える、ネットワークデバイス。
【請求項３０】
前記ＣＡ構成は、ダウンリンク（ＤＬ）送信のために構成された第１の数のキャリアを備え、前記第１の数は、ＵＬデータ送信のために構成された前記１つまたは複数のキャリアの第２の数よりも大きい、請求項２９に記載のネットワークデバイス。
【発明の詳細な説明】
【技術分野】
【０００１】
［相互参照］
[0001]  本特許出願は、「Sounding Reference Signal Transmission For Enhanced Carrier Aggregation」と題されて２０１７年３月２３日に出願された、Ｃｈｅｎらによる米国特許出願第１５／４６７，４５９号、および、「Sounding Reference Signal Transmission for Enhanced Carrier Aggregation」と題されて２０１６年３月２４日に出願された、Ｃｈｅｎらによる米国特許仮出願第６２／３１３，１００号に対して優先権を主張し、それらの各々は、本願の譲受人に譲渡される。
［背景技術］
【０００２】
[0002]  以下は、一般に、ワイヤレス通信に関し、より具体的には、非対称のエンハンストキャリアアグリゲーション（ｅＣＡ：enhanced carrier aggregation）の下でのサウンディング基準信号（ＳＲＳ：sounding reference signals）に関する。
【背景技術】
【０００３】
[0003]  ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、いくつかの基地局を含み得、それらの各々は、各々がユーザ装置（ＵＥ）と呼ばれ得る複数の通信デバイスのための通信を、同時にサポートする。
【０００４】
[0004]  ワイヤレス通信システムは、キャリアアグリゲーション（ＣＡ）またはｅＣＡ構成において、複数のコンポーネントキャリア（ＣＣ）をサポートし得る。ＣＣは、基地局とＵＥとの間のアップリンク（ＵＬ）およびダウンリンク（ＤＬ）通信のために構成され得る。ＵＥは、基地局との通信のために使用される周波数チャネルの品質を示すために、基準信号（例えば、ＳＲＳ）を送信し得る。
【０００５】
[0005]  ワイヤレス通信システムは、ＵＥがサポートすることができる複数のＵＬ  ＣＣのうちの一部のみを構成し得、およびＣＡのために利用可能であるアップリンクＣＣについてＳＲＳ送信をリザーブ（reserve）し得る。これは、構成されたＵＬ  ＣＣを有しない帯域に関するチャネルコンディションの不正確な推定をもたらし得、それは、低減されたスループットおよびチャネルの非効率な使用を引き起こし得る。
【発明の概要】
【０００６】
[0006]  ユーザ装置（ＵＥ）は、基地局に、ＵＥがサポートすることができるアップリンク（ＵＬ）コンポーネントキャリア（ＣＣ）の数を示し得る。基地局は次いで、キャリアアグリゲーション（ＣＡ）構成および補助的な（auxiliary）ＵＬ構成において複数のＣＣを用いた動作のためにＵＥを構成し得る。ＣＡ構成は、ＵＬデータ送信のためのＣＣを含み得、補助的なＵＬ構成は、ＵＬ基準信号送信（例えば、サウンディング基準信号（ＳＲＳ））またはランダムアクセスチャネル（ＲＡＣＨ）送信のためのＣＣを含み得る。ＵＥは、よって、もしそうでなければそのＵＥのために構成されないＵＬ  ＣＣ上でＳＲＳまたはＲＡＣＨメッセージを送信し得る。ＵＬデータ送信は、ＵＥが並行なＵＬ送信（parallel UL transmission）が可能である場合、ＳＲＳ送信と同じ時間に送られ得る、または、ＵＥが並行なＵＬ送信が可能でない場合、異なる送信時間間隔（ＴＴＩ：transmission time intervals）の間に送られ得る。
【０００７】
[0007]  ワイヤレス通信の方法が説明される。方法は、ＵＥがサポートすることができるＵＬキャリアの数（a number of）のインジケーションを送信することと、ＣＡ構成および補助的なＵＬ構成を示すシグナリングを受信することであって、ＣＡ構成は、ＵＬデータ送信のために構成された１つまたは複数のキャリアを備え、補助的なＵＬ構成は、ＵＬ基準信号送信のために構成された１つまたは複数のキャリアを備える、受信することと、ＣＡ構成およびＵＥ性能（the UE capability）に基づいて、補助的なＵＬ構成の１つまたは複数のキャリアを使用して、ＳＲＳを送信することと、を含み得る。
【０００８】
[0008]  ワイヤレス通信のための装置が説明される。装置は、ＵＥ性能のインジケーションを送信するための手段と、ＣＡ構成および補助的なＵＬ構成を受信するための手段であって、ＣＡ構成は、ＵＬデータ送信のために構成された１つまたは複数のキャリアを備え、補助的なＵＬ構成は、ＵＬ基準信号送信のために構成された１つまたは複数のキャリアを備える、受信するための手段と、ＣＡ構成およびＵＥ性能に基づいて、補助的なＵＬ構成の１つまたは複数のキャリアを使用して、ＳＲＳを送信するための手段と、を含み得る。
【０００９】
[0009]  さらなる装置が説明される。装置は、プロセッサと、プロセッサと電子通信しているメモリと、メモリに記憶された命令とを含み得る。命令は、ＵＥ性能のインジケーションを送信することと、ＣＡ構成および補助的なＵＬ構成を受信することであって、ＣＡ構成は、ＵＬデータ送信のために構成された１つまたは複数のキャリアを備え、補助的なＵＬ構成は、ＵＬ基準信号送信のために構成された１つまたは複数のキャリアを備える、受信することと、ＣＡ構成およびＵＥ性能に基づいて、補助的なＵＬ構成の１つまたは複数のキャリアを使用して、ＳＲＳを送信することと、をプロセッサに行わせるように動作可能であり得る。
【００１０】
[0010]  ワイヤレス通信のための非一時的なコンピュータ読み取り可能な媒体が説明される。非一時的なコンピュータ読み取り可能な媒体は、ＵＥ性能のインジケーションを送信することと、ＣＡ構成および補助的なＵＬ構成を受信することであって、ＣＡ構成は、ＵＬデータ送信のために構成された１つまたは複数のキャリアを備え、補助的なＵＬ構成は、ＵＬ基準信号送信のために構成された１つまたは複数のキャリアを備える、受信することと、ＣＡ構成およびＵＥ性能に基づいて、補助的なＵＬ構成の１つまたは複数のキャリアを使用して、ＳＲＳを送信することと、をプロセッサに行わせるための命令を含み得る。
【００１１】
[0011]  ここに説明される方法、装置、または非一時的なコンピュータ読み取り可能な媒体のいくつかの例では、ＣＡ構成は、ダウンリンク（ＤＬ）送信のために構成された第１の数（例えば数量（quantity））のキャリアおよびＵＬ送信のために構成された第２の数のキャリアを備え、ここで第１の数は第２の数よりも大きい。ここに説明される方法、装置、または非一時的なコンピュータ読み取り可能な媒体のいくつかの例では、補助的なＵＬ構成は、第３の数のキャリアを備え、ここで第３の数は、第１の数と第２の数との間の差に基づく。
【００１２】
[0012]  ここに説明される方法、装置、または非一時的なコンピュータ読み取り可能な媒体のいくつかの例はさらに、ＵＬデータ送信のために構成された１つまたは複数のキャリア上で、ＵＬデータ送信を送信するための処理、特徴、手段、または命令を含み得、ここでＵＬデータは、ＳＲＳと同じＴＴＩの間に送信される。
【００１３】
[0013]  ここに説明される方法、装置、または非一時的なコンピュータ読み取り可能な媒体のいくつかの例では、ＵＬデータ送信のために構成された１つまたは複数のキャリアは、時分割複信（ＴＤＤ：time division duplexing）のために構成された少なくとも１つのキャリアを備える。ここに説明される方法、装置、または非一時的なコンピュータ読み取り可能な媒体のいくつかの例はさらに、追加的なＳＲＳを送信するための処理、特徴、手段、または命令を含み得、ここで、ＳＲＳは、第１のセットのアンテナを使用して送信され、追加的なＳＲＳは、第２のセットのアンテナを使用して送信される。
【００１４】
[0014]  ここに説明される方法、装置、または非一時的なコンピュータ読み取り可能な媒体のいくつかの例では、第１のセットのアンテナは、ＳＲＳのために使用される１つまたは複数のキャリア上での送信のために選択され、第２のセットのアンテナは、追加的なＳＲＳのために使用される追加的なキャリア上での送信のために選択される。いくつかの例では、ＳＲＳは、周期的なＳＲＳまたは非周期的なＳＲＳであり、および追加的なＳＲＳは、周期的なＳＲＳまたは非周期的なＳＲＳであり、および、第１のセットのアンテナは、ＳＲＳが周期的なＳＲＳであることに基づいて選択され、第２のセットのアンテナは、追加的なＳＲＳが非周期的なＳＲＳであることに基づいて選択される。追加的に、または代替的に、いくつかの例は、無線リソース制御（ＲＲＣ）シグナリングまたはダウンリンク制御情報（ＤＣＩ）を受信することを含み得、第１のセットのアンテナまたは第２のセットのアンテナは、ＲＲＣシグナリングまたはＤＣＩに少なくとも部分的に基づいて、選択され得る。
【００１５】
[0015]  ここに説明される方法、装置、または非一時的なコンピュータ読み取り可能な媒体のいくつかの例はさらに、送信されたＳＲＳまたはＳＲＳのロケーション、あるいはその両方に基づいて、１つまたは複数のスイッチングシンボルを識別することと、１つまたは複数のスイッチングシンボルに基づいて、ＵＬデータ送信をレートマッチ（rate matching）またはパンクチャ（puncturing）することと、を行うための処理、特徴、手段、または命令を含み得る。いくつかの例はまた、１つまたは複数のスイッチングシンボルの後のシンボル期間の間に、ＵＬデータ送信を開始するための処理、特徴、手段、または命令を含む。
【００１６】
[0016]  ここに説明される方法、装置、または非一時的なコンピュータ読み取り可能な媒体のいくつかの例では、１つまたは複数のスイッチングシンボルは、サブフレームにおける、ＳＲＳを備えるシンボルの、そのサブフレームの他のシンボルに対するロケーションに基づいて、識別される。いくつかの例は、スイッチング時間のインジケーション（例えば、それはＵＥ性能のインジケーションに含まれ得る）を送信するための処理、特徴、手段、または命令を含み、ここで、１つまたは複数のスイッチングシンボルは、スイッチング時間に基づく。
【００１７】
[0017]  ここに説明される方法、装置、または非一時的なコンピュータ読み取り可能な媒体のいくつかの例では、１つまたは複数のスイッチングシンボルは、ＳＲＳのシンボルロケーションに基づいて識別される。いくつかの例では、１つまたは複数のスイッチングシンボルは、ＳＲＳおよびＵＬデータ送信のために使用されるキャリアの組合せに基づいて識別される。
【００１８】
[0018]  ここに説明される方法、装置、または非一時的なコンピュータ読み取り可能な媒体のいくつかの例はさらに、補助的なＵＬ構成の１つまたは複数のキャリア上で、物理ランダムアクセスチャネル（ＰＲＡＣＨ）メッセージを送信するための処理、特徴、手段、または命令を含み得る。いくつかの例はまた、第２のタイミング調節グループ（ＴＡＧ：timing adjustment group）に関する第２の補助的な構成を受信するための処理、特徴、手段、または命令を含み、ここで、補助的なＵＬ構成は、第１のＴＡＧに関連する。
【００１９】
[0019]  ここに説明される方法、装置、または非一時的なコンピュータ読み取り可能な媒体のいくつかの例では、ＣＡ構成は、補助的なＵＬ構成を備える。ここに説明される方法、装置、または非一時的なコンピュータ読み取り可能な媒体のいくつかの例では、補助的なＵＬ構成は、ＣＡ構成とは異なる。
【００２０】
[0020]  ここに説明される方法、装置、または非一時的なコンピュータ読み取り可能な媒体のいくつかの例では、ＣＡ構成は、デュアルコネクティビティ（dual-connectivity）構成の一部である。いくつかの例では、ＣＡ構成は、物理アップリンク制御チャネル（ＰＵＣＣＨ）グループのセットを備え、ここで、補助的なＵＬは、ＰＵＣＣＨグループのセットのうちの１つに対応する。
【００２１】
[0021]  ここに説明される方法、装置、または非一時的なコンピュータ読み取り可能な媒体のいくつかの例では、ＵＬデータ送信のために構成された１つまたは複数のキャリアは、第１のＴＡＧのキャリアを備え、ＵＬ基準信号のために構成された１つまたは複数のキャリアは、第２のＴＡＧのキャリアを備える。
【００２２】
[0022]  ワイヤレス通信の別の方法が説明される。方法は、ＵＥ性能のインジケーションを受信することと、ＵＥのためのＣＡ構成および補助的なＵＬ構成を送信することであって、ＣＡ構成は、ＵＬデータ送信のために構成された１つまたは複数のキャリアを備え、補助的なＵＬ構成は、ＵＬ基準信号送信のために構成された１つまたは複数のキャリアを備える、送信することと、ＣＡ構成およびＵＥ性能に基づいて、補助的なＵＬ構成の１つまたは複数のキャリアを使用して、ＳＲＳを受信することと、を含み得る。
【００２３】
[0023]  ワイヤレス通信のための別の装置もまた説明される。装置は、ＵＥ性能のインジケーションを受信するための手段と、ＵＥのためのＣＡ構成および補助的なＵＬ構成を送信するための手段であって、ＣＡ構成は、ＵＬデータ送信のために構成された１つまたは複数のキャリアを備え、補助的なＵＬ構成は、ＵＬ基準信号送信のために構成された１つまたは複数のキャリアを備える、送信するための手段と、ＣＡ構成およびＵＥ性能に基づいて、補助的なＵＬ構成の１つまたは複数のキャリアを使用して、ＳＲＳを受信するための手段と、を含み得る。
【００２４】
[0024]  さらなる装置が説明される。装置は、プロセッサと、プロセッサと電子通信しているメモリと、メモリに記憶された命令と、を含み得る。命令は、ＵＥ性能のインジケーションを受信することと、ＵＥのためのＣＡ構成および補助的なＵＬ構成を送信することであって、ＣＡ構成は、ＵＬデータ送信のために構成された１つまたは複数のキャリアを備え、補助的なＵＬ構成は、ＵＬ基準信号送信のために構成された１つまたは複数のキャリアを備える、送信することと、ＣＡ構成およびＵＥ性能に基づいて、補助的なＵＬ構成の１つまたは複数のキャリアを使用して、ＳＲＳを受信することと、をプロセッサに行わせるように動作可能であり得る。
【００２５】
[0025]  ワイヤレス通信のための別の非一時的なコンピュータ読み取り可能な媒体が説明される。非一時的なコンピュータ読み取り可能な媒体は、ＵＥ性能のインジケーションを受信することと、ＵＥのためのＣＡ構成および補助的なＵＬ構成を送信することであって、ＣＡ構成は、ＵＬデータ送信のために構成された１つまたは複数のキャリアを備え、補助的なＵＬ構成は、ＵＬ基準信号送信のために構成された１つまたは複数のキャリアを備える、送信することと、ＣＡ構成およびＵＥ性能に基づいて、補助的なＵＬ構成の１つまたは複数のキャリアを使用して、ＳＲＳを受信することと、をプロセッサに行わせるための命令を含み得る。
【００２６】
[0026]  ここに説明される方法、装置、または非一時的なコンピュータ読み取り可能な媒体のいくつかの例では、ＣＡ構成は、ＤＬ送信のために構成された第１の数のキャリアおよびＵＬ送信のために構成された第２の数のキャリアを備え、ここで、第１の数は第２の数よりも大きい。
【００２７】
[0027]  ここに説明される方法、装置、または非一時的なコンピュータ読み取り可能な媒体のいくつかの例はさらに、ＵＬデータ送信のために構成された１つまたは複数のキャリア上で、ＵＬデータ送信を受信するための処理、特徴、手段、または命令を含み得、ここで、ＵＬデータは、ＳＲＳと同じＴＴＩの間に送信される。
【００２８】
[0028]  ここに説明される方法、装置、または非一時的なコンピュータ読み取り可能な媒体のいくつかの例はさらに、ＳＲＳに基づいて、１つまたは複数のスイッチングシンボルを識別するための処理、特徴、手段、または命令を含み得る。ここに説明される方法、装置、または非一時的なコンピュータ読み取り可能な媒体のいくつかの例はさらに、１つまたは複数のスイッチングシンボルの後のシンボル期間の間に、ＵＬデータ送信を受信するための処理、特徴、手段、または命令を含み得る。
【００２９】
[0029]  ここに説明される方法、装置、または非一時的なコンピュータ読み取り可能な媒体のいくつかの例はさらに、スイッチング時間のインジケーションを受信するための処理、特徴、手段、または命令を含み得、ここで、１つまたは複数のスイッチングシンボルは、スイッチング時間に基づく。ここに説明される方法、装置、または非一時的なコンピュータ読み取り可能な媒体のいくつかの例はさらに、補助的なＵＬ構成の１つまたは複数のキャリア上でＰＲＡＣＨメッセージを受信するための処理、特徴、手段、または命令を含み得る。
【００３０】
[0030]  ここに説明される方法、装置、または非一時的なコンピュータ読み取り可能な媒体のいくつかの例はさらに、第２のＴＡＧに関する第２の補助的な構成を送信するための処理、特徴、手段、または命令を含み得、ここで、補助的なＵＬ構成は、第１のＴＡＧに関連する。
【図面の簡単な説明】
【００３１】
【図１】[0031]  図１は、本開示の態様による、非対称のエンハンストキャリアアグリゲーション（ｅＣＡ）の下でのサウンディング基準信号（ＳＲＳ）をサポートするワイヤレス通信システムの例を例示する。
【図２】[0032]  図２は、本開示の態様による、非対称のｅＣＡの下でのＳＲＳをサポートするワイヤレス通信システムの例を例示する。
【図３】[0033]  図３は、本開示の態様による、非対称のｅＣＡの下でのＳＲＳをサポートする補助的なコンポーネントキャリア（ＣＣ）構成の例を例示する。
【図４】[0034]  図４は、本開示の態様による、非対称のｅＣＡの下でのＳＲＳをサポートするシステムにおける処理フローの例を例示する。
【図５】[0035]  図５は、本開示の態様による、非対称のｅＣＡの下でのＳＲＳをサポートするワイヤレスデバイスのブロック図を示す。
【図６】図６は、本開示の態様による、非対称のｅＣＡの下でのＳＲＳをサポートするワイヤレスデバイスのブロック図を示す。
【図７】図７は、本開示の態様による、非対称のｅＣＡの下でのＳＲＳをサポートするワイヤレスデバイスのブロック図を示す。
【図８】[0036]  図８は、本開示の態様による、非対称のｅＣＡの下でのＳＲＳをサポートするＵＥを含むシステムのブロック図を例示する。
【図９】[0037]  図９は、本開示の態様による、非対称のｅＣＡの下でのＳＲＳをサポートするワイヤレスデバイスのブロック図を示す。
【図１０】図１０は、本開示の態様による、非対称のｅＣＡの下でのＳＲＳをサポートするワイヤレスデバイスのブロック図を示す。
【図１１】図１１は、本開示の態様による、非対称のｅＣＡの下でのＳＲＳをサポートするワイヤレスデバイスのブロック図を示す。
【図１２】[0038]  図１２は、本開示の態様による、非対称のｅＣＡの下でのＳＲＳをサポートする基地局を含むシステムのブロック図を例示する。
【図１３】[0039]  図１３は、本開示の態様による、非対称のｅＣＡの下でのＳＲＳのための方法を例示する。
【図１４】図１４は、本開示の態様による、非対称のｅＣＡの下でのＳＲＳのための方法を例示する。
【図１５】図１５は、本開示の態様による、非対称のｅＣＡの下でのＳＲＳのための方法を例示する。
【図１６】図１６は、本開示の態様による、非対称のｅＣＡの下でのＳＲＳのための方法を例示する。
【図１７】図１７は、本開示の態様による、非対称のｅＣＡの下でのＳＲＳのための方法を例示する。
【図１８】図１８は、本開示の態様による、非対称のｅＣＡの下でのＳＲＳのための方法を例示する。
【図１９】図１９は、本開示の態様による、非対称のｅＣＡの下でのＳＲＳのための方法を例示する。
【詳細な説明】
【００３２】
[0040]  ユーザ装置（ＵＥ）は、キャリアアグリゲーション（ＣＡ）構成において、データ送信のために構成されたアップリンク（ＵＬ）コンポーネントキャリア（ＣＣ）に加えて、基準信号の送信のための補助的なＵＬ  ＣＣを用いて構成され得る。補助的なＵＬ  ＣＣは、例えば、（例えば物理アップリンク共有チャネル（ＰＵＳＣＨ）上での送信のような）アップリンクデータ送信のために必ずしも使用されることなく、サウンディング基準信号（ＳＲＳ）および物理ランダムアクセスチャネル（ＰＲＡＣＨ）送信のために使用され得る。ＵＥは、複数のＣＣ上での通信をサポートするためのＵＥの能力（ability）に基づいて、補助的なＣＣを用いて構成され得る。例えば、ＵＥは、いくつかの異なるＣＣ上での並行なＵＬ送信をサポートし得、よってＵＥは、ＵＬデータ送信およびＵＬ基準信号送信のための複数のＣＣを用いて構成され得る。
【００３３】
[0041]  補助的なＣＣは、ＣＡにおいてＵＬ  ＣＣと並行して（例えば、コンカレントに（concurrently））使用され得る、または代替的に、それらは、ＣＡ構成のＵＬ  ＣＣ上でデータが送信されていない送信時間間隔（ＴＴＩ）の間に使用され得る。並行な送信をサポートしないＵＥは、ＳＲＳアンテナスイッチングを用い得る。非並行な（non-parallel）補助的なＣＣ構成（例えば、アンテナスイッチングパラメータの構成）に関して、ＵＬ  ＣＣへのおよびＵＬ  ＣＣからのスイッチングの持続時間（time duration）を定義するためにギャップ持続時間（gap duration）が示され得る。
【００３４】
[0042]  一部のケースでは、ＵＥの送信アンテナは、周期的なＳＲＳ送信または非周期的なＳＲＳ送信について異なるＣＣ間で分けられ得る（be split among different CCs）。デュアルコネクティビティのケースでは、デュアルコネクティビティのために構成された２つのグループの各グループに対してＳＲＳスイッチングが適用され得る。並行な送信が可能でないＵＥは、ＵＬ  ＣＣのシンボルの利用可能性に基づいて、ＵＬ  ＣＣを用いて構成され得る。ＵＥが１つのＣＣから別のＣＣにスイッチするギャップまたは持続時間のシグナリングは、利用されている周波数帯域に依存し得る。
【００３５】
[0043]  上で紹介された本開示の態様は、ワイヤレス通信システムの文脈で以下により充分に説明される。ＵＬデータで構成されたものに加えたさらなるＣＣを含む複数のＣＣ上で送信するためのＵＥの性能を活用するために、補助的なＵＬ  ＣＣの使用をサポートするワイヤレス通信システムの例が説明される。本開示の態様はさらに、非対称のｅＣＡの下でのＳＲＳに関連する装置図、システム図、およびフローチャートによって例示され、かつそれらを参照して説明される。
【００３６】
[0044]  図１は、本開示の様々な態様による、ワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ（登録商標））／ＬＴＥアドバンスト（ＬＴＥ−Ａ）ネットワークであり得る。
【００３７】
[0045]  基地局１０５は、１つまたは複数の基地局アンテナを介して、ＵＥ１１５とワイヤレスに通信し得る。各基地局１０５は、それぞれの地理的なカバレッジエリア１１０に通信カバレッジを提供し得る。ワイヤレス通信システム１００に示される通信リンク１２５は、ＵＥ１１５から基地局１０５へのＵＬ送信、または基地局１０５からＵＥ１１５へのダウンリンク（ＤＬ）送信を含み得る。ＵＥ１１５は、ワイヤレス通信システム１００全体に分散され得、各ＵＥ１１５は、固定式またはモバイルであり得る。ＵＥ１１５はまた、モバイル局、加入者局、リモートユニット、ワイヤレスデバイス、アクセス端末（ＡＴ）、ハンドセット、ユーザエージェント、クライアント、または同様の用語でも呼ばれ得る。ＵＥ１１５はまた、セルラフォン、ワイヤレスモデム、ハンドヘルドデバイス、パーソナルコンピュータ、タブレット、パーソナル電子デバイス、マシンタイプ通信（ＭＴＣ）デバイス等でもあり得る。
【００３８】
[0046]  基地局１０５は、互いに、およびコアネットワーク１３０と、通信し得る。例えば、基地局１０５は、バックホールリンク１３２（例えば、Ｓ１等）を通してコアネットワーク１３０とインタフェースし得る。基地局１０５は、バックホールリンク１３４（例えば、Ｘ２等）を介して、直接的にまたは間接的に（例えば、コアネットワーク１３０を通して）互いに通信し得る。基地局１０５は、ＵＥ１１５と通信するためのスケジューリングおよび無線構成を実施し得るか、または基地局コントローラ（示されていない）の制御下で動作し得る。いくつかの例では、基地局１０５は、マクロセル、スモールセル、ホットスポット、または同様のものであり得る。基地局１０５はまた、ｅノードＢ（ｅＮＢ）１０５とも呼ばれ得る。
【００３９】
[0047]  ＵＥ１１５は、ＣＡのためにいくつかのＣＣ（例えば、３２個までのＣＣ）を用いて構成され得る。ＣＡのＣＣは、１つのまたはいくつかの基地局１０５に関連し得る。各ＣＣは、下位互換性があり得、および（例えば、２０ＭＨｚまでの）異なる周波数ギャップにわたり得る。ＵＥ１１５のために構成される複数のＣＣは、（例えば、６４０ＭＨｚまでの）最大周波数領域にわたり得る。ＣＡにおけるＣＣは、すべて周波数分割複信（ＦＤＤ：frequency division duplex）であるか、すべて時分割複信（ＴＤＤ）であるか、またはＦＤＤとＴＤＤとの混合であり得る。異なるＴＤＤ  ＣＣは、同じまたは異なるＵＬ／ＤＬ構成を有し得る。一部のケースでは、特殊サブフレームは、異なるＴＤＤ  ＣＣについて別様に構成され得る。１つのＣＣは、ＵＥのプライマリＣＣ（例えば、ＰセルまたはＰＣＣ）として構成され得、他のＣＣは、セカンダリＣＣ（例えば、ＳセルまたはＳＣＣ）として構成され得る。Ｐセルは、物理アップリンク制御チャネル（ＰＵＣＣＨ）を搬送し得る。いくつかのＣＣは、ライセンススペクトル上にあり得、一方で、いくつかの他のＣＣは、アンライセンススペクトルまたは共有スペクトル上にあり得る。
【００４０】
[0048]  いくつかの例では、ＵＥ１１５は、多数のＣＣ（例えば、２０個以上のＣＣ）を用いて構成され得る。このタイプの構成は、エンハンストＣＡ（ｅＣＡ：enhanced CA）と呼ばれ得る。ｅＣＡという用語はまた、ＣＡアグリゲーションスキームの前の展開と比較してエンハンストな（enhanced：向上された）ＣＡ構成も指し得る。例えば、ある特定の送信のために複数のＣＣ間で動的にスイッチすること、または、補助的なＵＬ  ＣＣの使用が、ｅＣＡの例であり得る。ＣＡおよびｅＣＡという用語は、よって、マルチキャリア構成に関連する特徴を説明するために置換え可能に使用され得る。一部のケースでは、ｅＣＡは、エンハンストシステムにおけるＣＡを指し得る。
【００４１】
[0049]  一部のケースでは、ＵＥ１１５は、デュアルコネクティビティ動作において理想的でないバックホールリンク１３４によって接続される２つ以上の基地局１０５からのセルによってサービス提供され得る。例えば、サービング基地局１０５間の接続は、精密なタイミング調整（precise timing coordination）を容易にする（facilitate）ために十分でない可能性がある。したがって、一部のケースでは、ＵＥ１１５にサービス提供しているセルは、複数のＴＡＧに分割され得る。別の例では、１つまたは複数のＣＣは、１つまたは複数のリピータに接続され得、一方で、他のＣＣは、リピータなしで動作され得る。その結果、一部のケースでは、ＵＥ１１５にサービス提供している複数のセルまたは複数の異なるＣＣは、複数のＴＡＧに分割され得る。各ＴＡＧは、ＵＥ１１５が異なるＵＬキャリアについて別様にＵＬ送信を同期させ得るように、異なるタイミングオフセットに関連し得る。
【００４２】
[0050]  デュアルコネクティビティでは、セルは、２つのグループであるプライマリセルグループ（ＰＣＧ）およびセカンダリセルグループ（ＳＣＧ）に区分され得る。各グループは、ＣＡにおいて１つまたは複数のセルを有し得、ＰＵＣＣＨを搬送するために単一のセルを使用し得る。よって一部のケースでは、ＵＥは、Ｐセルを用いて構成され得、別のＣＣは、プライマリセカンダリＣＣ（例えば、ＰＳセル）として構成され得る。ＰＳセルもまたＰＵＣＣＨ（例えば、ＳＣＧに関する）を搬送し得るが、Ｐセルの属性のすべては含まない可能性がある。ＵＬ制御情報は、各グループにおけるＰＵＣＣＨを介して各グループに別々に伝送（conveyed）され得る。ＳＣＧはまた、半永久スケジューリング（ＳＰＳ：semi-persistent scheduling）およびスケジューリング要求（ＳＲ：scheduling request）をサポートし得る。ＵＥ１１５は、さらに、ＳＣＧにおける共通探索空間をモニタし得る。
【００４３】
[0051]  いくつかの例では、ワイヤレス通信システム１００は、エンハンストコンポーネントキャリア（ｅＣＣ）を利用し得る。ｅＣＣは、より広い帯域幅、より短いシンボル持続時間、より短いＴＴＩ、および修正された制御チャネル構成を含む１つまたは複数の特徴によって特徴付けられ得る。ｅＣＣは、ＣＡ構成またはデュアルコネクティビティ構成に関連し得る。ｅＣＣはまた、（例えば、１つより多くのオペレータがそのスペクトルを使用することを許可されているところである）共有スペクトルまたはアンライセンススペクトルで使用するために構成され得る。広い帯域幅によって特徴付けられるｅＣＣは、帯域幅全体をモニタすることができないか、または（例えば、電力を節約するために）限定された帯域幅を使用することを好むＵＥ１１５によって利用され得る、１つまたは複数のセグメントを含み得る。
【００４４】
[0052]  一部のケースでは、ｅＣＣは、他のＣＣとは異なるシンボル持続時間を使用し得、それは、他のＣＣのシンボル持続時間と比べて短縮されたシンボル持続時間の使用を含み得る。より短いシンボル持続時間は、増加されたサブキャリアスペーシング（subcarrier spacing）に関連する。ｅＣＣを利用する、ＵＥ１１５または基地局１０５のようなデバイスは、短縮されたシンボル持続時間（例えば、１６．６７μｓ）において広帯域信号（例えば、２０、４０、６０、８０ＭＨｚ等）を送信し得る。ｅＣＣにおけるＴＴＩは、１つのまたは複数のシンボルから成り得る。一部のケースでは、ＴＴＩ持続時間（つまり、ＴＴＩにおけるシンボルの数）は、変わり得る。
【００４５】
[0053]  ワイヤレス通信システム１００は、チャネル推定のために、およびＵＥ１１５と基地局１０５との間の通信を容易にするために、ＵＥ１１５からのＳＲＳ送信に頼り得る。ＳＲＳは、基地局１０５がＵＬチャネル品質を推定し得るように、事前決定されたシーケンス（例えば、Ｚａｄｏｆｆ−Ｃｈｕシーケンス）を使用してＵＥ１１５によって送信され得る。ＳＲＳ送信は、別のチャネル上でのデータの送信に関連しない可能性があり、広い帯域幅（例えば、ＵＬデータ送信のために割り振られたものより多くのサブキャリアを含む帯域幅）上で周期的に送信され得る。ＳＲＳはまた、マルチプルなアンテナポート上でスケジュールされ得、なおも単一のＳＲＳ送信と考えられ得る。ＳＲＳ送信は、タイプ０（等しく間隔をあけられたインターバルにおいて周期的に送信される）ＳＲＳとして、またはタイプ１（非周期的な）ＳＲＳとして分類され得る。したがって、基地局１０５によってＳＲＳから集められたデータは、ＵＬスケジューラに情報を与える（inform）ために使用され得る。基地局１０５はまた、タイミングアラインメントステータスをチェックするためにＳＲＳを利用し得、タイムアラインメントコマンドをＵＥ１１５−ａに送り得る。
【００４６】
[0054]  ワイヤレス通信システム１００は、ＵＥ１１５のために構成された様々なＣＣ上でＳＲＳ送信し得る。例えば、ＵＥ１１５は、ＣＣに関するリソースの利用可能性に応じて、ＳＲＳ送信のためのＣＣ（例えば、ＴＤＤ  ＣＣ）に、およびそれらの間で、スイッチし得る。例えば、ＵＥ１１５は、いくつかのＤＬ  ＣＣと、より少ない数のＵＬ  ＣＣとを用いて構成され得る。ＵＥ１１５は、よって、（例えばＰＤＳＣＨ等の）ＤＬ通信のために構成されたものよりも少ない、（例えばＰＵＳＣＨ等の）ＵＬデータ送信のために利用可能なＣＣを有し得る。しかし、それにも関わらず、ペアになっていないＵＬ  ＣＣのリソースは、ＵＥ１１５がそれらのＣＣ上でのＵＬデータ送信のために構成されていない場合でさえも、ＵＥ１１５による使用のために利用可能であり得る。そのような非対称のＣＡ構成におけるＳＲＳ送信の追加的な例が、以下でさらに説明される。
【００４７】
[0055]  図２は、非対称のｅＣＡの下でのＳＲＳに関するワイヤレス通信システム２００の例を例示する。ワイヤレス通信システム２００は、基地局１０５−ａおよびＵＥ１１５−ａを含み得、それらは図１を参照して説明された対応するデバイスの例であり得る。ワイヤレス通信システム２００は、ＳＲＳの送信のための補助的なＵＬ  ＣＣ２１５の構成をサポートするシステムを表す。補助的なＵＬ  ＣＣ２１５の構成は、ＣＡにおけるＵＥのＣＣサポート性能に基づき得る。
【００４８】
[0056]  一部のケースでは、ＣＡ構成は、ＵＬ  ＣＣ２１０よりも多くのＤＬ  ＣＣ２０５を含み得る。これは、非対称のＣＡ構成として知られ得る。例えば、ＵＥ１１５（例えば、ＵＥ１１５−ａ）は、対応するＵＬ  ＣＣを有しないＤＬ  ＣＣ２０５のチャネル推定のためのＳＲＳを送信しない可能性がある。そのようなケースでは、サービング基地局１０５（例えば、基地局１０５−ａ）は、ＤＬ  ＣＣ２０５のすべてについては正確なチャネル推定値を生むことができない可能性がある。よって基地局１０５−ａは、（例えば、ＣＡ構成のＵＬ  ＣＣ２１０に関連しないＤＬ  ＣＣ２０５の数に対応する）ＳＲＳの送信のためのいくつかの補助的なＵＬ  ＣＣ２１５を用いて、ＵＥ１１５−ａを構成し得る。これは、ＣＡ構成における各ＣＣについて、より正確なチャネル推定を可能にし得、ワイヤレス通信システム２００の効率を改善し得る。
【００４９】
[0057]  ＵＥ１１５−ａは、ＵＬ  ＣＣ２１５の利用可能なリソース上でＳＲＳを送信し得る。例えば、ＵＬ  ＣＣ２１５は、ＵＬデータ送信のために前に割り振られなかったかまたは構成されなかった、利用可能なリソース（例えば、補助的なＣＣ）を含み得る。一部のケースでは、ＵＥ１１５は、ＣＡ構成における他のＵＬ  ＣＣ（例えば、ＣＡ  ＵＬ  ＣＣ２１０）と並行して（例えば、コンカレントに）、補助的なＵＬ  ＣＣ２１５を使用して送信し得る。例えば、並行な送信をサポートしないＵＥ１１５は、調整されたアンテナスイッチング、レートマッチング、またはリソースパンクチャリングプロシージャ（resource puncturing procedures）を用いて、補助的なＵＬ  ＣＣ２１５上でＳＲＳを送信し得る。一部のケースでは、ＵＥ１１５は、補助的なＵＬ  ＣＣ２１５およびＵＬ  ＣＣ２１０上で異なる時間において送信し得、および、キャリア間でのチューニングに関連するギャップまたは時間を示し得る。例えば、ギャップ持続時間は、基地局１０５−ａとの調整されたアンテナスイッチングのために、ＵＬ  ＣＣへのおよびからのスイッチングの持続時間（例えば、補助的なＵＬ  ＣＣ２１５とＣＡ  ＵＬ  ＣＣ２１０との間のスイッチングに関連する持続時間）を定義するために示され得る。
【００５０】
[0058]  補助的なＵＬ  ＣＣ２１５は、ＵＥ１１５のＵＬ  ＣＣ性能に基づいて構成され得る、および／または動作され得る。異なるＵＥ１１５は、ＵＬ  ＣＡにおいて異なる性能を有し得る。例えば、ＵＥ１１５−ａは、２つのＵＬ  ＣＣが可能であり得（例えば、そして１つの補助的なＵＬ  ＣＣ２１５と１つのＣＡ  ＵＬ  ＣＣ２１０とを用いて構成され得）、およびＵＥ１１５−ｂは、３つのＵＬ  ＣＣ（例えば、２つの補助的なＵＬ  ＣＣ２１５と１つのＣＡ  ＵＬ  ＣＣ２１０とを用いて構成された）を使用することが可能であり得る。一部のケースでは、ＵＥ性能は、周波数帯域に依存し得る。つまり、ＵＥ１１５は、ある特定の帯域に関するＵＬ  ＣＡが可能であり得るが、他の帯域を用いたＵＬ  ＣＡが可能でない可能性がある。ある特定の数のＵＬ  ＣＣ（例えば、Ｎ個のＣＣ）を用いたＣＡ構成をサポートするＵＥ１１５は、その数のＣＣよりも少ない個数（例えば、Ｎ個よりも少ないＣＣ）で構成され得る。例えば、ＵＥ１１５−ａは、ＣＡ構成において複数のＵＬ  ＣＣ２１０を使用することが可能であり得るが、それはＣＡ構成について１つのＵＬ  ＣＣ２１０を用いて構成され得る。
【００５１】
[0059]  例として、ＵＥ１１５−ｂは、たとえＵＥ１１５−ｂが３つのＵＬ  ＣＣ２１０を用いたＣＡ構成をサポートすることが可能であり得るとしても、ＣＡについて１つのＵＬ  ＣＣ２１０と３つのＤＬ  ＣＣ２０５とを用いて構成され得る。いくつかの例では、ＵＥ１１５−ｂは、構成されるＵＬ  ＣＣの総数に基づいた並行な送信に制限され得る。例えば、ＵＥ１１５−ｂは、２つのＵＬ  ＣＣ２１０を含むＣＡ構成を用いて構成され得、そしてそれは、１つの補助的なＵＬ  ＣＣ２１５を用いて構成され得る。そのようなケースでは、ＵＥ１１５−ｂは、単一のサブフレームの間に２つのＵＬ  ＣＣ上でのコンカレントな送信に制限され得る。しかし一部のケースでは、ＵＥ１１５−ｂは、ＵＥ１１５−ｂがサポートするＣＣの総数に基づいた並行なＵＬ送信を行い得る。例えば、ＵＥ１１５−ｂは、３つのＵＬ  ＣＣ２１０を用いたＣＡ構成サポートし得、およびＵＥ１１５−ｂは、２つのＵＬ  ＣＣ２１０と１つの補助的なＵＬ  ＣＣ２１５とを用いて構成され得る。そのようなケースでは、ＵＥ１１５−ｂは、単一のサブフレームの間に、ＵＬ  ＣＣ２１０と補助的なＵＬ  ＣＣ２１５との両方においてコンカレントに送信し得る。
【００５２】
[0060]  追加的に、または代替的に、ＵＥ１１５は、ＵＬ  ＣＣ（例えば、補助的なＵＬ  ＣＣ２１５およびＣＡ  ＵＬ  ＣＣ２１０）を用いて構成され得、および調整された方法でアンテナをスイッチすることによって様々な構成されたＣＣを使用し得る。つまり、ＳＲＳは、第１のアンテナと第２のアンテナとを使用して送信され得る。ＳＲＳスイッチングは、（例えば、補助的なＵＬ  ＣＣ２１５上で送信するために）ＵＬ  ＣＣがＵＬ  ＣＡの一部でない場合に利用され得、それはＤＬ多入力多出力（ＭＩＭＯ）動作を容易にし得る。ＵＬデータ送信のために使用されるＣＣはまた、同じアンテナを使用し得る。ＵＥ１１５がマルチプルな送信アンテナを使用することができる場合、それら送信アンテナは、異なるＣＣ間で分けられ得る。例えば、アンテナは、周期的なＳＲＳ送信または非周期的なＳＲＳ送信について分けられ得る。周期的なＳＲＳについては、送信アンテナを分けることは無線リソース制御（ＲＲＣ）によって構成され得、さらにＳＲＳ送信カウンタに関係し得る（be tied with）。非周期的なＳＲＳについては、ＲＲＣ構成の代わりに、ダウンリンク制御情報（ＤＣＩ）が、さらにアンテナを示し得る。別の例として、ＣＣ上でのＳＲＳの送信のための１つまたは複数のアンテナポートの利用は、ＳＲＳ送信に関連するインデックスまたはカウンタ、あるいはいくつかの他のパラメータ（例えば、ＣＣのインデックス、サブフレームインデックス等）の関数であり得る。例えば、奇数の送信については、ＳＲＳのために第１のアンテナポートが使用され得、一方で、偶数の送信については、ＳＲＳのために第２のアンテナポートが使用され得る。
【００５３】
[0061]  スイッチングに関わる２つ以上のＣＣに関して並行な送信が可能でないＵＥ１１５については、ＵＬ  ＣＣは、ＵＬ  ＣＣのシンボルの利用可能性に基づいて構成され得る。１つのＣＣから別のＣＣにスイッチするために必要とされる時間に応じて、いくつかのシンボルは、スイッチングを容易にするためにレートマッチ（rate matched around）またはパンクチャされ得る（例えば、ＵＬサブフレームの最初のシンボル）。例えば、ＵＥ１１５−ｂは、補助的なＵＬ  ＣＣ２１５（例えば、基準信号送信のために構成されたＣＣ）からＵＬ  ＣＣ２１０（例えば、ＵＬ制御およびデータ送信のために構成されたＣＣ）にスイッチし得る。そのようなケースでは、スイッチングを容易にするために、ＵＬ  ＣＣ２１０上での送信のために使用されるサブフレームの最初のシンボルは、ＵＬ送信（例えば、ＰＵＳＣＨまたはＰＵＣＣＨ）のために利用可能でない可能性がある。代替的に、ＵＥ１１５−ｂは、ＵＬ  ＣＣ２１０から補助的なＵＬ  ＣＣ２１５にスイッチし得る。このタイプのスイッチングシナリオは、他の送信に影響を与えない可能性がある。例えば、補助的なＵＬ  ＣＣ２１５上でのＳＲＳ送信のために使用されるサブフレームにおいて、少なくともそのサブフレームの最初のいくつかのシンボルには他の送信は存在しない可能性がある。よって、補助的なＵＬ  ＣＣ２１５に対する影響はほとんど無いか、または無い可能性がある。
【００５４】
[0062]  ＵＥ性能は、他の送信のために使用されるシンボルがＣＣ間のスイッチングによって影響を受け得る範囲に、影響を与え得る。ＵＥ１１５が素早いスイッチングが可能である場合、ＵＥ１１５は、他の送信に影響を与えることなくＣＣ間でスイッチし得るので、スイッチングのために指定されるシンボルは無い可能性がある。さらに、ＳＲＳのシンボルロケーションは、他のシンボルにおける送信が影響を及ぼされ得る範囲に影響を与え得る。例えば、ＳＲＳがサブフレームの最後のセットのシンボル（the last set of symbols）または最後のシンボルに位置しない場合、他のシンボルは、ＵＥ１１５がＣＣ間でスイッチすることに起因して影響を受けない可能性があり、よってワイヤレス通信システム２００が特定のシンボルに対するスイッチングの影響を助長する（facilitate）ことは不必要であり得る。
【００５５】
[0063]  一部のケースでは、ＵＥ１１５は、スイッチングに順応するためにスケジューリングについてのある特定の要件または選好を示し得る。例えば、ＵＥ１１５は、ＵＥ１１５が１つのＣＣから別のＣＣにその間にスイッチする必要があるまたは好ましくはスイッチしなければならない持続時間またはギャップを、シグナリングし得る。ギャップは、ＵＥ１１５がその間でスイッチしているＣＣの周波数帯域に依存し得る。例として、帯域間スイッチングに関しては、ＵＥ１１５は、ある特定の帯域の組合せについて、スイッチングのために短いギャップが使用されるかまたは長いギャップが使用されるかをシグナリングし得る（例えば、帯域当たり１ビット、または帯域の組合せ当たり１ビット）。追加的に、または代替的に、帯域内スイッチングに関しては、シグナリングは、帯域内でのスイッチングのための長いまたは短いギャップを示す１ビットを含み得る。いくつかの例では、「学習性能ビット（learning capability bit）」と呼ばれ得る追加的なビットがさらに使用され得る。例えば、ＵＥ１１５が能力を有する（capable）場合、ある特定の帯域についてまたはある帯域内で、長いギャップが利用され得、その後に、次いで短いギャップがスイッチングのために使用され得、そして、ＵＥ１１５は、この性能を、「学習性能ビット」を使用して基地局１０５に示し得る。
【００５６】
[0064]  ワイヤレス通信システム２００はまた、（例えば、補助的なＵＬ  ＣＣ２１５についてのＵＬタイミングを取得するために）補助的なＵＬ  ＣＣ２１５上でＰＲＡＣＨ送信をサポートし得る。コンテンションベースのＰＲＡＣＨの代わりに、非コンテンションベースのＰＲＡＣＨがサポートされ得、ＰセルまたはＰＳセルからのダウンリンク制御情報を介してトリガされ得る。例えば、ワイヤレス通信システム２００は、特にＵＥ１１５が２つ以上のタイミングアドバンスグループ（ＴＡＧ：timing advance groups）を用いて構成されるとき、補助的なＵＬ  ＣＣ２１５上でＰＲＡＣＨをサポートし得る。ＣＡ構成のＵＬ  ＣＣ２１０および補助的なＵＬ  ＣＣ２１５は、異なるＴＡＧに関連し得、そのケースでは、補助的なＵＬ  ＣＣ２１５について異なるＵＬタイミングが使用され得る。そのようなケースでは、異なるＵＬタイミングは、ＳＲＳ送信が同じＣＣ上で他のＵＥ１１５からのＵＬ送信に直交することを、可能にし得る。
【００５７】
[0065]  デュアルコネクティビティを用いるもののような他の例では、ＳＲＳ送信に関するスイッチングは、デュアルコネクティビティのために構成されたキャリアの各グループに適用され得る。１つまたは複数の補助的なＵＬ  ＣＣ２１５の構成は、グループごとに別々に構成され得る。例えば、ＰＣＧは、構成された補助的なＵＬ  ＣＣ２１５を有しない可能性があり、一方でＳＣＧは、１つの補助的なＵＬ  ＣＣ２１５を用いて構成され得る。２つのＰＵＣＣＨグループが構成される場合、ＣＡにおいて同様のスキームが用いられ得る。
【００５８】
[0066]  図３は、非対称のｅＣＡの下でのＳＲＳに関する補助的なＣＣ構成３００の例を例示する。一部のケースでは、補助的なＣＣ構成３００は、図１〜図２を参照して説明されたＵＥ１１５または基地局１０５によって実施される技法の態様を表し得る。
【００５９】
[0067]  ＣＣ（例えば、ＣＣ１、ＣＣ２、およびＣＣ３）は、サブフレーム構成３０５を有し得る。サブフレーム構成３０５は、ＤＬサブフレーム３１０、特殊サブフレーム３１５、ＣＡ  ＵＬサブフレーム３２０、および／または非ＣＡ  ＵＬサブフレーム３２５を含み得る。ＣＣ１は、ＰＣＣであるように構成され得、ＣＣ１〜ＣＣ３は、前述のサブフレームの複数の異なる構成を含む異なるサブフレーム構成３０５または同じサブフレーム構成３０５を有し得る。
【００６０】
[0068]  ＤＬサブフレーム３１０は、基地局１０５からＵＥ１１５へのダウンリンク通信のために使用され得る。ＤＬサブフレーム３１０は、ＰＤＳＣＨまたはＤＣＩを含み得る。ＤＬサブフレーム３１０の後に特殊サブフレーム３１５が続き得、図３の例ではその後に今後はＵＬサブフレーム（例えば、ＣＡ  ＵＬサブフレーム３２０および／または非ＣＡ  ＵＬサブフレーム３２５）が続く。
【００６１】
[0069]  異なるＣＣのサブフレーム構成においてオーバーラップしているサブフレーム（例えば、サブフレーム構成３０５−ａおよびサブフレーム構成３０５−ｂのサブフレーム２）は、ＵＬデータおよび／またはＳＲＳを送信するために使用され得る。したがって、ＵＥ１１５を、あるサブフレームにおいて単一のＵＬ  ＣＣ送信に制限する代わりに、複数のＵＬ送信がそのサブフレームの間に可能にされ得る（例えば、ＣＣ１およびＣＣ２、ＣＣ１およびＣＣ３、あるいは、ＣＣ２およびＣＣ３上で）。
【００６２】
[0070]  よって、ＣＣ１〜ＣＣ３について構成されたＵＥは、並行な送信をサポートし得、そのケースでは、複数のＣＣが同時に（例えば、同じサブフレームの間に）送信のために使用され得る。つまり、ＣＣ１（例えば、ＰＣＣ）は、サブフレーム構成３０５−ａのシンボル２においてＵＬデータを送信するために使用され得、同時に、ＣＣ２は、サブフレーム構成３０５−ｂのシンボル２においてＳＲＳを送信するために使用され得る。
【００６３】
[0071]  ＣＣ１は、ＵＬサブフレーム３２０−ａの間にデータを送信するために使用され得、それは、補助的なＵＬ  ＣＣであり得るＣＣ２におけるＵＬサブフレーム３２５−ａと並行してデータを含み得る。ＵＬサブフレーム３２５−ａは、ＳＲＳまたはＰＲＡＣＨを送るように構成され得るが、データを送るように構成されない可能性がある。代替的に、ＣＣ１は、ＵＬサブフレーム３２０−ｂの間に送信するために使用され得、それは、ＳＲＳのために使用され得るＣＣ３におけるＵＬサブフレーム３２５−ｄと並行してデータを含み得る。ＵＬサブフレーム３２５−ｄは、ＳＲＳまたはＰＲＡＣＨを送るように構成され得るが、データを送るように構成されない可能性がある。
【００６４】
[0072]  一部のケースでは、ＣＣ２とＣＣ３の両方が、ＳＲＳまたはＰＲＡＣＨ、あるいは（例えば並行して）その両方を送信するために使用され得る。つまり、サブフレーム構成３０５−ｂ（例えば、ＣＣ２サブフレーム構成）のＵＬサブフレーム３２５−ｂは、サブフレーム構成３０５−ｃ（例えば、ＣＣ３サブフレーム構成）のＵＬサブフレーム３２５−ｃの間の送信と並行して送信するために使用され得る。ＳＲＳは、例えば、ＵＬサブフレーム３２５ＳＲＳまたはＰＲＡＣＨにおいて送信され得る。
【００６５】
[0073]  図４は、本開示の様々な態様による、非対称のｅＣＡの下でのＳＲＳに関する処理フロー４００の例を例示する。処理フロー４００は、基地局１０５−ａおよびＵＥ１１５−ａを含み得、それらは、図１〜図２を参照して説明された対応するデバイスの例であり得る。
【００６６】
[0074]  ステップ４０５において、ＵＥ１１５−ｃは、性能インジケーションを基地局１０５−に送信し得る（例えば、ＵＥ１１５−ｃがサポートすることができるＵＬ  ＣＣ（例えば、キャリア）の数、アンテナスイッチング性能等）。例えば、サポートされるＵＬ  ＣＣの数は、ＵＥ１１５−ｃがサポートすることができる並行なＵＬ送信の数（例えば、ＵＥ１１５−ｃが異なるＣＣ上で行うことができるコンカレントな送信の数）を示し得る。
【００６７】
[0075]  ステップ４１０において、基地局１０５−ｂは、ＣＡ構成および補助的なＵＬ構成をＵＥ１１５−ｃにシグナリングし得る。ＣＡ構成は、ＵＬデータ送信のために構成されたＣＣを含み得、補助的なＵＬ構成は、ＵＬ基準信号送信（例えば、ＳＲＳ、ＰＲＡＣＨ等）のために構成されたＣＣを含み得る。さらに、ＣＡ構成は、ＵＬ送信のために構成されたキャリアに加えて、ＤＬ送信のためのキャリアを含み得る。ＤＬ送信のために構成されたキャリアの数は、ＵＬ送信のために構成されたキャリアの数よりも多い可能性がある。補助的なＵＬ構成は、ステップ４０５からのインジケーションおよびＣＡ構成に基づき得る。一部のケースでは、ＣＡ構成は、補助的なＵＬ構成を含み得る。別のケースでは、ＣＡ構成は、補助的なＵＬ構成とは別個であり得る。
【００６８】
[0076]  ステップ４１５−ａにおいて、ＵＥ１１５−ｃがＣＡにおいてＵＬ  ＣＣ上でＵＬデータを送信し得、基地局１０５−ｂが受信し得る。
【００６９】
[0077]  ステップ４１５−ｂにおいて、ステップ４１０においてＵＥ１１５−ｃにシグナリングされた補助的なＵＬ構成のＣＣを使用して、ＵＥ１１５−ｃがＳＲＳを送信し得、基地局１０５−ｂが受信し得る。ＳＲＳは、周期的または非周期的であり得る。送信アンテナは、ＳＲＳが周期的であること、または非周期的であることに基づいて選択され得る。代替的に、補助的なＵＬ構成のＣＣを使用して、ステップ４１５−ｂにおいて、ＵＥ１１５−ｃがＰＲＡＣＨメッセージを送信し得、基地局１０５−ｂが受信し得る。
【００７０】
[0078]  ステップ４１５−ａおよび４１５−ｂは、同じＴＴＩの間に実施され得る（例えば、並行なＣＣ送信）。代替的に、ＵＥは、ステップ４１５−ａおよびステップ４１５−ｂを実施するためにキャリア間でスイッチし得る（例えば、単一のＣＣ送信のためのアンテナスイッチング）。
【００７１】
[0079]  図５は、本開示の様々な態様による、非対称のｅＣＡの下でのＳＲＳをサポートするワイヤレスデバイス５００のブロック図を示す。ワイヤレスデバイス５００は、図１および図２を参照して説明されたＵＥ１１５の態様の例であり得る。ワイヤレスデバイス５００は、受信機５０５、ＵＥの補助的なアップリンクマネジャ５１０、および送信機５１５を含み得る。ワイヤレスデバイス５００はまた、プロセッサを含み得る。これらのコンポーネントの各々は、互いに通信している可能性がある。
【００７２】
[0080]  受信機５０５は、（例えば、非対称のｅＣＡの下でのＳＲＳに関連する情報、データチャネル、および制御チャネル等の）様々な情報チャネルに関連する制御情報、ユーザデータ、またはパケットのような情報を受信し得る。情報は、デバイスの他のコンポーネントに伝えられ得る。受信機５０５は、図８を参照して説明されるトランシーバ８２５の態様の例であり得る。
【００７３】
[0081]  ＵＥの補助的なアップリンクマネジャ５１０は、送信機５１５と組み合わせて、ＵＥ性能のインジケーションを送信し得る。ＵＥの補助的なアップリンクマネジャは、受信機５０５と組み合わせて、ＣＡ構成および補助的なＵＬ構成を受信し得る。ＣＡ構成は、ＵＬデータ送信のために構成された１つまたは複数のキャリアを含み得、補助的なＵＬ構成は、ＵＬ基準信号送信のために構成された１つまたは複数のキャリアを含む。ＵＥの補助的なアップリンクマネジャ５１０は、送信機５１５と組み合わせて、ＣＡ構成およびＵＥ性能に基づいて、補助的なＵＬ構成の１つまたは複数のキャリアを使用して、ＳＲＳを送信し得る。ＵＥの補助的なアップリンクマネジャ５１０はまた、図８を参照して説明されるＵＥの補助的なアップリンクマネジャ８０５の態様の例であり得る。
【００７４】
[0082]  送信機５１５は、ワイヤレスデバイス５００の他のコンポーネントから受け取られた信号を送信し得る。いくつかの例では、送信機５１５は、トランシーバモジュールにおいて受信機と並べて配置され得る。例えば、送信機５１５は、図８を参照して説明されるトランシーバ８２５の態様の例であり得る。送信機５１５は、単一のアンテナを含み得るか、またはそれは、複数のアンテナを含み得る。
【００７５】
[0083]  図６は、本開示の様々な態様による、非対称のｅＣＡの下でのＳＲＳをサポートするワイヤレスデバイス６００のブロック図を示す。ワイヤレスデバイス６００は、図１、図２および図５を参照して説明された、ワイヤレスデバイス５００またはＵＥ１１５の態様の例であり得る。ワイヤレスデバイス６００は、受信機６０５、ＵＥの補助的なアップリンクマネジャ６１０、および送信機６３０を含み得る。ワイヤレスデバイス６００はまた、プロセッサを含み得る。これらのコンポーネントの各々は、互いに通信している可能性がある。
【００７６】
[0084]  受信機６０５は、デバイスの他のコンポーネントに伝えられ得る情報を受信し得る。受信機６０５はまた、図５の受信機５０５を参照して説明された機能を実施し得る。受信機６０５は、図８を参照して説明されるトランシーバ８２５の態様の例であり得る。
【００７７】
[0085]  ＵＥの補助的なアップリンクマネジャ６１０は、図５を参照して説明されたＵＥの補助的なアップリンクマネジャ５１０の態様の例であり得る。ＵＥの補助的なアップリンクマネジャ６１０は、ＳＲＳコンポーネント６１５、性能インジケーションコンポーネント６２０、およびキャリア構成コンポーネント６２５を含み得る。ＵＥの補助的なアップリンクマネジャ６１０は、図８を参照して説明されるＵＥの補助的なアップリンクマネジャ８０５の態様の例であり得る。
【００７８】
[0086]  ＳＲＳコンポーネント６１５は、送信機６３０と組み合わせて、追加的なＳＲＳを送信し得、ここで、ＳＲＳは、第１のセットのアンテナを使用して送信され、追加的なＳＲＳは、第２のセットのアンテナを使用して送信される。ＳＲＳコンポーネント６１５は、送信機６３０と組み合わせて、ＣＡ構成およびＵＥ性能に基づいて、補助的なＵＬ構成の１つまたは複数のキャリアを使用して、ＳＲＳを送信し得る。一部のケースでは、ワイヤレスデバイス６００は、ＳＲＳのために使用される１つまたは複数のキャリア上での送信のために第１のセットのアンテナを選択し得、および、追加的なＳＲＳのために使用される追加的なキャリア上での送信のために第２のセットのアンテナを選択し得る。一部のケースでは、ＳＲＳは、周期的なＳＲＳまたは非周期的なＳＲＳであり、および追加的なＳＲＳは、周期的なＳＲＳまたは非周期的なＳＲＳであり、第１のセットのアンテナは、ＳＲＳが周期的なＳＲＳであることに基づいて選択され得、第２のセットのアンテナは、追加的なＳＲＳが非周期的なＳＲＳであることに基づいて選択される。一部のケースでは、アンテナの選択は、例えば、周期的なＳＲＳについてはＲＲＣ構成に基づき得、および非周期的なＳＲＳのケースではＤＣＩから決定され得る。
【００７９】
[0087]  性能インジケーションコンポーネント６２０は、送信機６３０と組み合わせて、ＵＥ（例えば、ワイヤレスデバイス６００）がサポートすることができるＵＬキャリアの数のインジケーションを送信し得る。キャリア構成コンポーネント６２５は、受信機６０５と組み合わせて、第２のＴＡＧに関する第２の補助的な構成を受信し得、ここで、補助的なＵＬ構成は、第１のＴＡＧに関連し、および、キャリア構成コンポーネント６２５は、受信機６０５と組み合わせて、ＣＡ構成および補助的なＵＬ構成を受信し得る。ＣＡ構成は、ＵＬデータ送信のために構成された１つまたは複数のキャリアを含み得、補助的なＵＬ構成は、ＵＬ基準信号送信のために構成された１つまたは複数のキャリアを含む。一部のケースでは、補助的なＵＬ構成は、第３の数（例えば、数量）のキャリアを含み、および第３の数は、第１の数と第２の数との間の差に基づき得る。
【００８０】
[0088]  一部のケースでは、ＵＬデータ送信のために構成された１つまたは複数のキャリアは、ＴＤＤのために構成された少なくとも１つのキャリアを含む。一部のケースでは、ＵＬデータ送信のために構成された１つまたは複数のキャリアは、第１のＴＡＧのキャリアを含み、ＵＬ基準信号のために構成された１つまたは複数のキャリアは、第２のＴＡＧのキャリアを含む。一部のケースでは、ＣＡ構成は、補助的なＵＬ構成を含む。一部のケースでは、補助的なＵＬ構成は、ＣＡ構成とは異なる。一部のケースでは、ＣＡ構成は、デュアルコネクティビティ構成の一部である。一部のケースでは、ＣＡ構成は、ＰＵＣＣＨグループのセットを含み、ここで補助的なＵＬは、ＰＵＣＣＨグループのセットのうちの１つに対応する。一部のケースでは、ＣＡ構成は、ＤＬ送信のために構成された第１の数のキャリアおよびＵＬ送信のために構成された第２の数のキャリアを含み、ここで、第１の数は第２の数よりも大きい。
【００８１】
[0089]  送信機６３０は、ワイヤレスデバイス６００の他のコンポーネントから受け取られた信号を送信し得る。いくつかの例では、送信機６３０は、トランシーバモジュールにおいて受信機と並べて配置され得る。例えば、送信機６３０は、図８を参照して説明されるトランシーバ８２５の態様の例であり得る。送信機６３０は、単一のアンテナを利用し得るか、またはそれは、複数のアンテナを利用し得る。
【００８２】
[0090]  図７は、ワイヤレスデバイス５００またはワイヤレスデバイス６００の対応するコンポーネントの例であり得るＵＥの補助的なアップリンクマネジャ７００のブロック図を示す。つまり、ＵＥの補助的なアップリンクマネジャ７００は、図５および図６を参照して説明されたＵＥの補助的なアップリンクマネジャ５１０またはＵＥの補助的なアップリンクマネジャ６１０の態様の例であり得る。ＵＥの補助的なアップリンクマネジャ７００はまた、図８を参照して説明されるＵＥの補助的なアップリンクマネジャ８０５の態様の例であり得る。
【００８３】
[0091]  ＵＥの補助的なアップリンクマネジャ７００は、ＵＬデータコンポーネント７０５、ＳＲＳコンポーネント７１０、スイッチングシンボルコンポーネント７１５、レートマッチングコンポーネント７２０、性能インジケーションコンポーネント７２５、ＲＡＣＨコンポーネント７３０、およびキャリア構成コンポーネント７３５を含み得る。これらのモジュールの各々は、直接的にまたは間接的に、互いに（例えば、１つまたは複数のバスを介して）通信し得る。
【００８４】
[0092]  ＵＬデータコンポーネント７０５は、例えば送信機５１５または６３０と組み合わせて、ＵＬデータ送信のために構成された１つまたは複数のキャリア上で、ＵＬデータ送信を送信し得、ここで、ＵＬデータは、ＳＲＳと同じＴＴＩの間に送信され、１つまたは複数のスイッチングシンボルの後のシンボル期間の間に、ＵＬデータ送信を開始し得る。
【００８５】
[0093]  ＳＲＳコンポーネント７１０は、例えば送信機５１５または６３０と組み合わせて、追加的なＳＲＳを送信し得、ＳＲＳは、第１のセットのアンテナを使用して送信され得、追加的なＳＲＳは、第２のセットのアンテナを使用して送信される。ＳＲＳコンポーネントはまた、ＣＡ構成およびＵＥ性能に基づいて、補助的なＵＬ構成の１つまたは複数のキャリアを使用して、ＳＲＳを送信し得る。
【００８６】
[0094]  スイッチングシンボルコンポーネント７１５は、送信されたＳＲＳまたはＳＲＳのロケーション、あるいはその両方に基づいて、１つまたは複数のスイッチングシンボルを識別し得る。送信機５１５または６３０は、よって、スイッチング時間のインジケーション（例えば、それはＵＥ性能のインジケーションに含まれ得る）を送信し得、１つまたは複数のスイッチングシンボルは、スイッチング時間に基づき得る。一部のケースでは、１つまたは複数のスイッチングシンボルは、サブフレームにおける、ＳＲＳを含むシンボルの、そのサブフレームの他のシンボルに対するロケーションに基づいて、識別される。一部のケースでは、１つまたは複数のスイッチングシンボルは、ＳＲＳのシンボルロケーションに基づいて、識別される。一部のケースでは、１つまたは複数のスイッチングシンボルは、ＳＲＳおよびＵＬデータ送信のために使用されるキャリアの組合せに基づいて、識別される。一部のケースでは、ＵＥ１１５からのシグナリングは、キャリアの組合せを示すために使用され得る（例えば、ＵＥ１１５は、それの無線性能に基づいた測定構成（measurement configuration）のためのギャップを要求し得る、等）。
【００８７】
[0095]  いくつかの例では、スイッチングシンボルは、ＵＥ性能に基づいて識別され得、ネットワークにシグナリングされることができる。一部のケースでは、スイッチングシンボルは、サブフレームの後方のシンボルにおけるＳＲＳのロケーションに起因してＵＬデータ送信からＳＲＳ送信へのスイッチングのケースでは使用されない可能性がある。
【００８８】
[0096]  レートマッチングコンポーネント７２０は、１つまたは複数のスイッチングシンボルに基づいて、ＵＬデータ送信をレートマッチまたはパンクチャし得る。性能インジケーションコンポーネント７２５は、例えば送信機５１５または６３０と組み合わせて、ＵＥ性能のインジケーションを送信し得る。ＲＡＣＨコンポーネント７３０は、補助的なＵＬ構成の１つまたは複数のキャリア上でＰＲＡＣＨメッセージを送信し得る。
【００８９】
[0097]  キャリア構成コンポーネント７３５は、第２のＴＡＧに関する第２の補助的な構成を受信し得、ここで補助的なＵＬ構成は第１のＴＡＧに関連し得る、ならびに、ＣＡ構成および補助的なＵＬ構成を受信し得る。一部のケースでは、キャリア構成コンポーネント７３５は、ＳＲＳ  ＣＣおよびＵＬ  ＣＣが異なるＴＡＧまたはＰＵＣＣＨグループに属するＴＡＧ構成を受信し得る。
【００９０】
[0098]  図８は、本開示の様々な態様による、非対称のｅＣＡの下でのＳＲＳをサポートするデバイスを含むシステム８００の図を示す。例えば、システム８００は、ＵＥ１１５−ｄを含み得、それは、図１、図２および図５〜図７を参照して説明された、ワイヤレスデバイス５００、ワイヤレスデバイス６００、またはＵＥ１１５の例であり得る。
【００９１】
[0099]  ＵＥ１１５−ｄはまた、ＵＥの補助的なアップリンクマネジャ８０５、メモリ８１０、プロセッサ８２０、トランシーバ８２５、アンテナ８３０、およびＥＣＣモジュール８３５を含み得る。これらのモジュールの各々は、直接的にまたは間接的に、互いに（例えば、１つまたは複数のバスを介して）通信し得る。ＵＥの補助的なアップリンクマネジャ８０５は、図５〜図７を参照して説明されたＵＥの補助的なアップリンクマネジャの例であり得る。
【００９２】
[0100]  メモリ８１０は、ランダムアクセスメモリ（ＲＡＭ）および読み取り専用メモリ（ＲＯＭ）を含み得る。メモリ８１０は、実行されると、プロセッサに、ここに説明される様々な機能（例えば、非対称のｅＣＡの下でのＳＲＳ等）を実施させる命令を含む、コンピュータ読み取り可能な、コンピュータ実行可能なソフトウェアを記憶し得る。一部のケースでは、ソフトウェア８１５は、プロセッサによって直接的に実行可能でない可能性があるが、コンピュータに（例えば、コンパイルされ実行されるとき）、ここに説明される機能を実施させ得る。プロセッサ８２０は、インテリジェントハードウェアデバイス（例えば、セントラルプロセシングユニット（ＣＰＵ）、マイクロコントローラ、特定用途向け集積回路（ＡＳＩＣ）等）を含み得る。
【００９３】
[0101]  トランシーバ８２５は、ここに説明されるように、１つまたは複数のアンテナ、ワイヤードリンク、またはワイヤレスリンクを介して、１つまたは複数のネットワークと双方向に通信し得る。例えば、トランシーバ８２５は、基地局１０５またはＵＥ１１５と双方向に通信し得る。トランシーバ８２５はまた、パケットを変調してその変調されたパケットを送信のためにアンテナに提供するための、およびアンテナから受け取られるパケットを復調するための、モデムを含み得る。一部のケースでは、ワイヤレスデバイスは、単一のアンテナ８３０を含み得る。しかしながら、一部のケースでは、デバイスは、１つより多くのアンテナ８３０を有し得、それは、複数のワイヤレス送信をコンカレントに送信するまたは受信することが可能であり得る。
【００９４】
[0102]  ＥＣＣモジュール８３５は、多数のコンポーネントキャリアを使用した、低減されたＴＴＩまたはサブフレーム持続時間を使用した、あるいは共有またはアンライセンススペクトルを使用した通信のような、ｅＣＣを使用した動作を可能にし得る。
【００９５】
[0103]  図９は、本開示の様々な態様による、非対称のｅＣＡの下でのＳＲＳをサポートするワイヤレスデバイス９００のブロック図を示す。ワイヤレスデバイス９００は、図１および図２を参照して説明された基地局１０５の態様の例であり得る。ワイヤレスデバイス９００は、受信機９０５、送信機９１０、および基地局の補助的なアップリンクマネジャ９１５を含み得る。ワイヤレスデバイス９００はまた、プロセッサを含み得る。これらのコンポーネントの各々は、互いに通信している可能性がある。
【００９６】
[0104]  受信機９０５は、（例えば、非対称のｅＣＡの下でのＳＲＳに関連する情報、データチャネル、および制御チャネル等の）様々な情報チャネルに関連する制御情報、ユーザデータ、またはパケットのような情報を受信し得る。情報は、デバイスの他のコンポーネントに伝えられ得る。受信機９０５は、図１２を参照して説明されるトランシーバ１２２５の態様の例であり得る。
【００９７】
[0105]  送信機９１０は、ワイヤレスデバイス９００の他のコンポーネントから受け取られた信号を送信し得る。いくつかの例では、送信機９１０は、トランシーバモジュールにおいて受信機と並べて配置され得る。例えば、送信機９１０は、図１２を参照して説明されるトランシーバ１２２５の態様の例であり得る。送信機９１０は、単一のアンテナを含み得るか、またはそれは、複数のアンテナを含み得る。
【００９８】
[0106]  基地局の補助的なアップリンクマネジャ９１５は、受信機９０５と組み合わせて、ＵＥ性能のインジケーションを受信し得、送信機９１０と組み合わせて、ＵＥのためのＣＡ構成および補助的なＵＬ構成を送信し得、ＣＡ構成は、ＵＬデータ送信のために構成された１つまたは複数のキャリアを含み得、補助的なＵＬ構成は、ＵＬ基準信号送信のために構成された１つまたは複数のキャリアを含む。基地局の補助的なアップリンクマネジャ９１５は、受信機９０５と組み合わせて、ＣＡ構成およびＵＥ性能に基づいて、補助的なＵＬ構成の１つまたは複数のキャリアを使用して、ＳＲＳを受信し得る。基地局の補助的なアップリンクマネジャ９１５はまた、図１２を参照して説明される基地局の補助的なアップリンクマネジャ１２０５の態様の例であり得る。
【００９９】
[0107]  図１０は、本開示の様々な態様による、非対称のｅＣＡの下でのＳＲＳをサポートするワイヤレスデバイス１０００のブロック図を示す。ワイヤレスデバイス１０００は、図１、図２および図９を参照して説明された、ワイヤレスデバイス９００または基地局１０５の態様の例であり得る。ワイヤレスデバイス１０００は、受信機１００５、基地局の補助的なアップリンクマネジャ１０１０、および送信機１０３０を含み得る。ワイヤレスデバイス１０００はまた、プロセッサを含み得る。これらのコンポーネントの各々は、互いに通信している可能性がある。
【０１００】
[0108]  受信機１００５は、デバイスの他のコンポーネントに伝えられ得る情報を受信し得る。受信機１００５はまた、図９の受信機９０５を参照して説明された機能を実施し得る。受信機１００５は、図１２を参照して説明されるトランシーバ１２２５の態様の例であり得る。
【０１０１】
[0109]  基地局の補助的なアップリンクマネジャ１０１０は、図９を参照して説明された基地局の補助的なアップリンクマネジャ９１５の態様の例であり得る。基地局の補助的なアップリンクマネジャ１０１０は、性能アイデンティフィケーションコンポーネント１０１５、ＳＲＳコンポーネント１０２０、およびキャリア構成コンポーネント１０２５を含み得る。基地局の補助的なアップリンクマネジャ１０１０は、図１２を参照して説明される基地局の補助的なアップリンクマネジャ１２０５の態様の例であり得る。
【０１０２】
[0110]  性能アイデンティフィケーションコンポーネント１０１５は、受信機１００５と組み合わせて、ＵＥ性能のインジケーションを受信し得る。ＳＲＳコンポーネント１０２０は、受信機１００５と組み合わせて、ＣＡ構成およびＵＥ性能に基づいて、補助的なＵＬ構成の１つまたは複数のキャリアを使用して、ＳＲＳを受信し得る。
【０１０３】
[0111]  キャリア構成コンポーネント１０２５は、送信機１０３０と組み合わせて、ＵＥのためのＣＡ構成および補助的なＵＬ構成を送信し得、ＣＡ構成は、ＵＬデータ送信のために構成された１つまたは複数のキャリアを含み得、補助的なＵＬ構成は、ＵＬ基準信号送信のために構成された１つまたは複数のキャリアを含む。キャリア構成コンポーネント１０２５は、送信機１０３０と組み合わせて、第２のＴＡＧに関する第２の補助的な構成を送信し得、ここで、補助的なＵＬ構成は、第１のＴＡＧに関連し得る。一部のケースでは、ＣＡ構成は、ＤＬ送信のために構成された第１の数のキャリアおよびＵＬ送信のために構成された第２の数のキャリアを含み、ここで、第１の数は第２の数よりも大きい。
【０１０４】
[0112]  送信機１０３０は、ワイヤレスデバイス１０００の他のコンポーネントから受け取られた信号を送信し得る。いくつかの例では、送信機１０３０は、トランシーバモジュールにおいて受信機と並べて配置され得る。例えば、送信機１０３０は、図１２を参照して説明されるトランシーバ１２２５の態様の例であり得る。送信機１０３０は、単一のアンテナを利用し得るか、またはそれは、複数のアンテナを利用し得る。
【０１０５】
[0113]  図１１は、ワイヤレスデバイス９００またはワイヤレスデバイス１０００の対応するコンポーネントの例であり得る基地局の補助的なアップリンクマネジャ１１００のブロック図を示す。つまり、基地局の補助的なアップリンクマネジャ１１００は、図９および図１０を参照して説明された基地局の補助的なアップリンクマネジャ９１５または基地局の補助的なアップリンクマネジャ１０１０の態様の例であり得る。基地局の補助的なアップリンクマネジャ１１００はまた、図１２を参照して説明される基地局の補助的なアップリンクマネジャ１２０５の態様の例であり得る。
【０１０６】
[0114]  基地局の補助的なアップリンクマネジャ１１００は、ＵＬデータコンポーネント１１０５、スイッチングシンボルコンポーネント１１１０、性能アイデンティフィケーションコンポーネント１１１５、ＲＡＣＨコンポーネント１１２０、ＳＲＳコンポーネント１１２５、およびキャリア構成コンポーネント１１３０を含み得る。これらのモジュールの各々は、直接的にまたは間接的に、互いに（例えば、１つまたは複数のバスを介して）通信し得る。
【０１０７】
[0115]  ＵＬデータコンポーネント１１０５は、受信機９０５または１００５と組み合わせて、ＵＬデータ送信のために構成された１つまたは複数のキャリア上で、ＵＬデータ送信を受信し得、ここで、ＵＬデータは、ＳＲＳと同じＴＴＩの間に送信され得る、および、ＵＬデータコンポーネント１１０５は、１つまたは複数のスイッチングシンボルの後のシンボル期間の間に、ＵＬデータ送信を受信し得る。スイッチングシンボルコンポーネント１１１０は、ＳＲＳに基づいて、１つまたは複数のスイッチングシンボルを識別し得る、および、受信機９０５または１００５は、スイッチング時間のインジケーションを受信し得、１つまたは複数のスイッチングシンボルは、スイッチング時間に基づき得る。
【０１０８】
[0116]  性能アイデンティフィケーションコンポーネント１１１５は、受信機９０５または１００５と組み合わせて、ＵＥ性能のインジケーションを受信し得る。ＲＡＣＨコンポーネント１１２０は、受信機９０５または１００５と組み合わせて、補助的なＵＬ構成の１つまたは複数のキャリア上でＰＲＡＣＨメッセージを受信し得る。ＳＲＳコンポーネント１１２５は、受信機９０５または１００５と組み合わせて、ＣＡ構成およびＵＥ性能に基づいて、補助的なＵＬ構成の１つまたは複数のキャリアを使用して、ＳＲＳを受信し得る。
【０１０９】
[0117]  キャリア構成コンポーネント１１３０は、送信機９１０または１０３０と組み合わせて、ＵＥのためのＣＡ構成および補助的なＵＬ構成を送信し得、ＣＡ構成は、ＵＬデータ送信のために構成された１つまたは複数のキャリアを含み得、補助的なＵＬ構成は、ＵＬ基準信号送信のために構成された１つまたは複数のキャリアを含む。キャリア構成コンポーネント１１３０は、送信機９１０または１０３０と組み合わせて、第２のＴＡＧに関する第２の補助的な構成を送信し得、ここで、補助的なＵＬ構成は、第１のＴＡＧに関連する。
【０１１０】
[0118]  図１２は、本開示の様々な態様による、非対称のｅＣＡの下でのＳＲＳをサポートする構成されたデバイスを含むワイヤレスシステム１２００の図を示す。例えば、ワイヤレスシステム１２００は、基地局１０５−ｄを含み得、それは、図１、図２および図９〜図１１を参照して説明された、ワイヤレスデバイス９００、ワイヤレスデバイス１０００、または基地局１０５の例であり得る。基地局１０５−ｄはまた、通信を送信するためのコンポーネントおよび通信を受信するためのコンポーネントを含む、双方向の音声およびデータ通信のためのコンポーネントを含み得る。例えば、基地局１０５−ｄは、１つまたは複数のＵＥ１１５と双方向に通信し得る。
【０１１１】
[0119]  基地局１０５−ｄはまた、基地局の補助的なアップリンクマネジャ１２０５、メモリ１２１０、プロセッサ１２２０、トランシーバ１２２５、アンテナ１２３０、基地局通信モジュール１２３５およびネットワーク通信モジュール１２４０を含み得る。これらのモジュールの各々は、直接的にまたは間接的に、互いに（例えば、１つまたは複数のバスを介して）通信し得る。基地局の補助的なアップリンクマネジャ１２０５は、図９〜図１１を参照して説明された基地局の補助的なアップリンクマネジャの例であり得る。
【０１１２】
[0120]  メモリ１２１０は、ＲＡＭおよびＲＯＭを含み得る。メモリ１２１０は、実行されると、プロセッサに、ここに説明される様々な機能（例えば、非対称のｅＣＡの下でのＳＲＳ等）を実施させる命令を含む、コンピュータ読み取り可能な、コンピュータ実行可能なソフトウェアを記憶し得る。一部のケースでは、ソフトウェア１２１５は、プロセッサによって直接的に実行可能でない可能性があるが、コンピュータに（例えば、コンパイルされ実行されるとき）、ここに説明される機能を実施させ得る。プロセッサ１２２０は、インテリジェントハードウェアデバイス（例えば、ＣＰＵ、マイクロコントローラ、ＡＳＩＣ等）を含み得る。
【０１１３】
[0121]  トランシーバ１２２５は、ここに説明されるように、１つまたは複数のアンテナ、ワイヤードリンク、またはワイヤレスリンクを介して、１つまたは複数のネットワークと双方向に通信し得る。例えば、トランシーバ１２２５は、基地局１０５またはＵＥ１１５と双方向に通信し得る。トランシーバ１２２５はまた、パケットを変調してその変調されたパケットを送信のためにアンテナに提供するための、およびアンテナから受け取られるパケットを復調するための、モデムを含み得る。一部のケースでは、ワイヤレスデバイスは、単一のアンテナ１２３０を含み得る。しかしながら、一部のケースでは、デバイスは、１つより多くのアンテナ８３０を有し得、それは、複数のワイヤレス送信をコンカレントに送信するまたは受信することが可能であり得る。
【０１１４】
[0122]  基地局通信モジュール１２３５は、他の基地局１０５との通信を管理し得、他の基地局１０５と連携してＵＥ１１５との通信を制御するためのスケジューラまたはコントローラを含み得る。例えば、基地局通信モジュール１２３５は、ビームフォーミングまたはジョイント送信（joint transmission）のような様々な干渉緩和技法のために、ＵＥ１１５への送信のためのスケジューリングを調整し得る。いくつかの例では、基地局通信モジュール−９５は、基地局１０５間の通信を提供するために、ＬＴＥ／ＬＴＥ−Ａワイヤレス通信ネットワーク技術内でＸ２インタフェースを提供し得る。
【０１１５】
[0123]  ネットワーク通信モジュール１２４０は、（例えば、１つまたは複数のワイヤードバックホールリンクを介した）コアネットワークとの通信を管理し得る。例えば、ネットワーク通信モジュール１２４０は、１つまたは複数のＵＥ１１５のようなクライアントデバイスのためのデータ通信の転送を管理し得る。
【０１１６】
[0124]  図１３は、本開示の様々な態様による、非対称のｅＣＡの下でのＳＲＳに関する方法１３００を例示するフローチャートを示す。方法１３００の動作は、図１および図２を参照して説明されたＵＥ１１５のようなデバイスまたはそれのコンポーネントによってインプリメントされ得る。例えば、方法１３００の動作は、ここに説明されたようなＵＥの補助的なアップリンクマネジャによって実施され得る。いくつかの例では、ＵＥ１１５は、以下に説明される機能を実施するためにデバイスの機能要素を制御するためのコードのセットを実行し得る。追加的に、または代替的に、ＵＥ１１５は、専用ハードウェアを使用して、以下に説明される機能である態様を実施し得る。
【０１１７】
[0125]  ブロック１３０５において、ＵＥ１１５は、図２〜図４を参照してここに説明されたように、ＵＥ性能のインジケーションを送信し得る。ある特定の例では、ブロック１３０５の動作は、図６および図７を参照して説明されたような性能インジケーションコンポーネントによって実施され得る。
【０１１８】
[0126]  ブロック１３１０において、ＵＥ１１５は、図２〜図４を参照してここに説明されたように、ＣＡ構成および補助的なＵＬ構成を示すシグナリングを受信し得、ＣＡ構成は、ＵＬデータ送信のために構成された１つまたは複数のキャリアを含み、補助的なＵＬ構成は、ＵＬ基準信号送信のために構成された１つまたは複数のキャリアを含む。ある特定の例では、ブロック１３１０の動作は、図６および図７を参照して説明されたようなキャリア構成コンポーネントによって実施され得る。
【０１１９】
[0127]  ブロック１３１５において、ＵＥ１１５は、図２〜図４を参照してここに説明されたように、ＣＡ構成およびＵＥ性能に基づいて、補助的なＵＬ構成の１つまたは複数のキャリアを使用して、ＳＲＳを送信し得る。ある特定の例では、ブロック１３１５の動作は、図６および図７を参照して説明されたようなＳＲＳコンポーネントによって実施され得る。
【０１２０】
[0128]  図１４は、本開示の様々な態様による、非対称のｅＣＡの下でのＳＲＳに関する方法１４００を例示するフローチャートを示す。方法１４００の動作は、図１および図２を参照して説明されたＵＥ１１５のようなデバイスまたはそれのコンポーネントによってインプリメントされ得る。例えば、方法１４００の動作は、ここに説明されたようなＵＥの補助的なアップリンクマネジャによって実施され得る。いくつかの例では、ＵＥ１１５は、以下に説明される機能を実施するためにデバイスの機能要素を制御するためのコードのセットを実行し得る。追加的に、または代替的に、ＵＥ１１５は、専用ハードウェアを使用して、以下に説明される機能である態様を実施し得る。
【０１２１】
[0129]  ブロック１４０５において、ＵＥ１１５は、図２〜図４を参照してここに説明されたように、ＵＥ性能のインジケーションを送信し得る。ある特定の例では、ブロック１４０５の動作は、図６および図７を参照して説明されたような性能インジケーションコンポーネントによって実施され得る。
【０１２２】
[0130]  ブロック１４１０において、ＵＥ１１５は、図２〜図４を参照してここに説明されたように、ＣＡ構成および補助的なＵＬ構成を示すシグナリングを受信し得、ＣＡ構成は、ＵＬデータ送信のために構成された１つまたは複数のキャリアを含み、補助的なＵＬ構成は、ＵＬ基準信号送信のために構成された１つまたは複数のキャリアを含む。ある特定の例では、ブロック１４１０の動作は、図６および図７を参照して説明されたようなキャリア構成コンポーネントによって実施され得る。
【０１２３】
[0131]  ブロック１４１５において、ＵＥ１１５は、図２〜図４を参照してここに説明されたように、ＣＡ構成およびＵＥ性能に基づいて、補助的なＵＬ構成の１つまたは複数のキャリアを使用して、ＳＲＳを送信し得る。ある特定の例では、ブロック１４１５の動作は、図６および図７を参照して説明されたようなＳＲＳコンポーネントによって実施され得る。
【０１２４】
[0132]  ブロック１４２０において、ＵＥ１１５は、ＵＬデータ送信のために構成された１つまたは複数のキャリア上で、ＵＬデータ送信を送信し得、ここで、ＵＬデータは、図２〜図４を参照してここに説明されたように、ＳＲＳと同じＴＴＩの間に送信される。ある特定の例では、ブロック１４２０の動作は、図６および図７を参照して説明されたようなＵＬデータコンポーネントによって実施され得る。
【０１２５】
[0133]  図１５は、本開示の様々な態様による、非対称のｅＣＡの下でのＳＲＳに関する方法１５００を例示するフローチャートを示す。方法１５００の動作は、図１および図２を参照して説明されたＵＥ１１５のようなデバイスまたはそれのコンポーネントによってインプリメントされ得る。例えば、方法１５００の動作は、ここに説明されたようなＵＥの補助的なアップリンクマネジャによって実施され得る。いくつかの例では、ＵＥ１１５は、以下に説明される機能を実施するためにデバイスの機能要素を制御するためのコードのセットを実行し得る。追加的に、または代替的に、ＵＥ１１５は、専用ハードウェアを使用して、以下に説明される機能である態様を実施し得る。
【０１２６】
[0134]  ブロック１５０５において、ＵＥ１１５は、図２〜図４を参照してここに説明されたように、ＵＥ性能のインジケーションを送信し得る。ある特定の例では、ブロック１５０５の動作は、図６および図７を参照して説明されたような性能インジケーションコンポーネントによって実施され得る。
【０１２７】
[0135]  ブロック１５１０において、ＵＥ１１５は、図２〜図４を参照してここに説明されたように、ＣＡ構成および補助的なＵＬ構成を示すシグナリングを受信し得、ＣＡ構成は、ＵＬデータ送信のために構成された１つまたは複数のキャリアを含み、補助的なＵＬ構成は、ＵＬ基準信号送信のために構成された１つまたは複数のキャリアを含む。ある特定の例では、ブロック１５１０の動作は、図６および図７を参照して説明されたようなキャリア構成コンポーネントによって実施され得る。
【０１２８】
[0136]  ブロック１５１５において、ＵＥ１１５は、図２〜図４を参照してここに説明されたように、ＣＡ構成およびＵＥ性能に基づいて、補助的なＵＬ構成の１つまたは複数のキャリアを使用して、ＳＲＳを送信し得る。ある特定の例では、ブロック１５１５の動作は、図６および図７を参照して説明されたようなＳＲＳコンポーネントによって実施され得る。
【０１２９】
[0137]  ブロック１５２０において、ＵＥ１１５は、図２〜図４を参照してここに説明されたように、追加的なＳＲＳを送信し得、ここで、ＳＲＳは、第１のセットのアンテナを使用して送信され、追加的なＳＲＳは、第２のセットのアンテナを使用して送信される。ある特定の例では、ブロック１５２０の動作は、図６および図７を参照して説明されたようなＳＲＳコンポーネントによって実施され得る。
【０１３０】
[0138]  図１６は、本開示の様々な態様による、非対称のｅＣＡの下でのＳＲＳに関する方法１６００を例示するフローチャートを示す。方法１６００の動作は、図１および図２を参照して説明されたＵＥ１１５のようなデバイスまたはそれのコンポーネントによってインプリメントされ得る。例えば、方法１６００の動作は、ここに説明されたようなＵＥの補助的なアップリンクマネジャによって実施され得る。いくつかの例では、ＵＥ１１５は、以下に説明される機能を実施するためにデバイスの機能要素を制御するためのコードのセットを実行し得る。追加的に、または代替的に、ＵＥ１１５は、専用ハードウェアを使用して、以下に説明される機能である態様を実施し得る。
【０１３１】
[0139]  ブロック１６０５において、ＵＥ１１５は、図２〜図４を参照してここに説明されたように、ＵＥ性能のインジケーションを送信し得る。ある特定の例では、ブロック１６０５の動作は、図６および図７を参照して説明されたような性能インジケーションコンポーネントによって実施され得る。
【０１３２】
[0140]  ブロック１６１０において、ＵＥ１１５は、図２〜図４を参照してここに説明されたように、ＣＡ構成および補助的なＵＬ構成を示すシグナリングを受信し得、ＣＡ構成は、ＵＬデータ送信のために構成された１つまたは複数のキャリアを含み、補助的なＵＬ構成は、ＵＬ基準信号送信のために構成された１つまたは複数のキャリアを含む。ある特定の例では、ブロック１６１０の動作は、図６および図７を参照して説明されたようなキャリア構成コンポーネントによって実施され得る。
【０１３３】
[0141]  ブロック１６１５において、ＵＥ１１５は、図２〜図４を参照してここに説明されたように、ＣＡ構成およびＵＥ性能に基づいて、補助的なＵＬ構成の１つまたは複数のキャリアを使用して、ＳＲＳを送信し得る。ある特定の例では、ブロック１６１５の動作は、図６および図７を参照して説明されたようなＳＲＳコンポーネントによって実施され得る。
【０１３４】
[0142]  ブロック１６２０において、ＵＥ１１５は、図２〜図４を参照してここに説明されたように、送信されたＳＲＳまたはＳＲＳのロケーション、あるいはその両方に基づいて、１つまたは複数のスイッチングシンボルを識別し得る。ある特定の例では、ブロック１６２０の動作は、図６および図７を参照して説明されたようなスイッチングシンボルコンポーネントによって実施され得る。
【０１３５】
[0143]  ブロック１６２５において、ＵＥ１１５は、図２〜図４を参照してここに説明されたように、１つまたは複数のスイッチングシンボルに基づいて、ＵＬデータ送信をレートマッチまたはパンクチャし得る。ある特定の例では、ブロック１６２５の動作は、図６および図７を参照して説明されたようなレートマッチングコンポーネントによって実施され得る。
【０１３６】
[0144]  ブロック１６３０において、ＵＥ１１５は、図２〜図４を参照してここに説明されたように、１つまたは複数のスイッチングシンボルの後のシンボル期間の間に、ＵＬデータ送信を開始し得る。ある特定の例では、ブロック１６３０の動作は、図６および図７を参照して説明されたようなＵＬデータコンポーネントによって実施され得る。
【０１３７】
[0145]  図１７は、本開示の様々な態様による、非対称のｅＣＡの下でのＳＲＳに関する方法１７００を例示するフローチャートを示す。方法１７００の動作は、図１および図２を参照して説明されたＵＥ１１５のようなデバイスまたはそれのコンポーネントによってインプリメントされ得る。例えば、方法１７００の動作は、ここに説明されたようなＵＥの補助的なアップリンクマネジャによって実施され得る。いくつかの例では、ＵＥ１１５は、以下に説明される機能を実施するためにデバイスの機能要素を制御するためのコードのセットを実行し得る。追加的に、または代替的に、ＵＥ１１５は、専用ハードウェアを使用して、以下に説明される機能である態様を実施し得る。
【０１３８】
[0146]  ブロック１７０５において、ＵＥ１１５は、図２〜図４を参照してここに説明されたように、ＵＥ性能のインジケーションを送信し得る。ある特定の例では、ブロック１７０５の動作は、図６および図７を参照して説明されたような性能インジケーションコンポーネントによって実施され得る。
【０１３９】
[0147]  ブロック１７１０において、ＵＥ１１５は、図２〜図４を参照してここに説明されたように、ＣＡ構成および補助的なＵＬ構成を示すシグナリングを受信し得、ＣＡ構成は、ＵＬデータ送信のために構成された１つまたは複数のキャリアを含み、補助的なＵＬ構成は、ＵＬ基準信号送信のために構成された１つまたは複数のキャリアを含む。ある特定の例では、ブロック１７１０の動作は、図６および図７を参照して説明されたようなキャリア構成コンポーネントによって実施され得る。
【０１４０】
[0148]  ブロック１７１５において、ＵＥ１１５は、図２〜図４を参照してここに説明されたように、ＣＡ構成およびＵＥ性能に基づいて、補助的なＵＬ構成の１つまたは複数のキャリアを使用して、ＳＲＳを送信し得る。ある特定の例では、ブロック１７１５の動作は、図６および図７を参照して説明されたようなＳＲＳコンポーネントによって実施され得る。
【０１４１】
[0149]  ブロック１７２０において、ＵＥ１１５は、図２〜図４を参照してここに説明されたように、補助的なＵＬ構成の１つまたは複数のキャリア上でＰＲＡＣＨメッセージを送信し得る。ある特定の例では、ブロック１７２０の動作は、図６および図７を参照して説明されたようなＲＡＣＨコンポーネントによって実施され得る。
【０１４２】
[0150]  図１８は、本開示の様々な態様による、非対称のｅＣＡの下でのＳＲＳに関する方法１８００を例示するフローチャートを示す。方法１８００の動作は、図１および図２を参照して説明された基地局１０５のようなデバイスまたはそれのコンポーネントによってインプリメントされ得る。例えば、方法１８００の動作は、ここに説明されたような基地局の補助的なアップリンクマネジャによって実施され得る。いくつかの例では、基地局１０５は、以下に説明される機能を実施するためにデバイスの機能要素を制御するためのコードのセットを実行し得る。追加的に、または代替的に、基地局１０５は、専用ハードウェアを使用して、以下に説明される機能である態様を実施し得る。
【０１４３】
[0151]  ブロック１８０５において、基地局１０５は、図２〜図４を参照してここに説明されたように、ＵＥ性能のインジケーションを受信し得る。ある特定の例では、ブロック１８０５の動作は、図１０および図１１を参照して説明されたような性能アイデンティフィケーションコンポーネントによって実施され得る。
【０１４４】
[0152]  ブロック１８１０において、図２〜図４を参照してここに説明されたように、基地局１０５は、ＵＥのためのＣＡ構成および補助的なＵＬ構成を示すシグナリングを送信し得、ＣＡ構成は、ＵＬデータ送信のために構成された１つまたは複数のキャリアを含み、補助的なＵＬ構成は、ＵＬ基準信号送信のために構成された１つまたは複数のキャリアを含む。ある特定の例では、ブロック１８１０の動作は、図１０および図１１を参照して説明されたようなキャリア構成コンポーネントによって実施され得る。
【０１４５】
[0153]  ブロック１８１５において、基地局１０５は、図２〜図４を参照してここに説明されたように、ＣＡ構成およびＵＥ性能に基づいて、補助的なＵＬ構成の１つまたは複数のキャリアを使用して、ＳＲＳを受信し得る。ある特定の例では、ブロック１８１５の動作は、図１０および図１１を参照して説明されたようなＳＲＳコンポーネントによって実施され得る。
【０１４６】
[0154]  図１９は、本開示の様々な態様による、非対称のｅＣＡの下でのＳＲＳに関する方法１９００を例示するフローチャートを示す。方法１９００の動作は、図１および図２を参照して説明されたＵＥ１１５のようなデバイスまたはそれのコンポーネントによってインプリメントされ得る。例えば、方法１９００の動作は、ここに説明されたようなＵＥの補助的なアップリンクマネジャによって実施され得る。いくつかの例では、ＵＥ１１５は、以下に説明される機能を実施するためにデバイスの機能要素を制御するためのコードのセットを実行し得る。追加的に、または代替的に、ＵＥ１１５は、専用ハードウェアを使用して、以下に説明される機能である態様を実施し得る。
【０１４７】
[0155]  ブロック１９０５において、ＵＥ１１５は、図２〜図４を参照してここに説明されたように、ＵＥ性能のインジケーションを送信し得る。ある特定の例では、ブロック１９０５の動作は、図６および図７を参照して説明されたような性能インジケーションコンポーネントによって実施され得る。
【０１４８】
[0156]  ブロック１９１０において、ＵＥ１１５は、ＣＡ構成および補助的なＵＬ構成を示すシグナリングを受信し得る。図２〜図４を参照してここに説明されたように、ＣＡ構成は、ＵＬデータ送信のために構成された１つまたは複数のキャリアを含み得、補助的なＵＬ構成は、ＵＬ基準信号送信のために構成された１つまたは複数のキャリアを含み、および、ＣＡ構成は、ＤＬ送信で構成された第１の数のキャリアおよびＵＬ送信のために構成された第２の数のキャリアを含み得、ここで、ＣＡ構成のＵＬおよびＤＬ  ＣＣにおいて非対称性が存在するように、第１の数は第２の数よりも大きい。ある特定の例では、ブロック１９１０の動作は、図６および図７を参照して説明されたようなキャリア構成コンポーネントによって実施され得る。
【０１４９】
[0157]  ブロック１９１５において、ＵＥ１１５は、図２〜図４を参照してここに説明されたように、ＣＡ構成およびＵＥ性能に基づいて、補助的なＵＬ構成の１つまたは複数のキャリアを使用して、ＳＲＳを送信し得る。ある特定の例では、ブロック１９１５の動作は、図６および図７を参照して説明されたようなＳＲＳコンポーネントによって実施され得る。
【０１５０】
[0158]  これらの方法は可能性のあるインプリメンテーションを説明するものであること、ならびに動作およびステップは他のインプリメンテーションが可能であるように再配置または他の方法で修正され得ること、に留意されたい。いくつかの例では、これら方法のうちの２つ以上からの態様は、組み合わせられ得る。例えば、これら方法の各々の態様は、他の方法のステップまたは態様、あるいはここに説明された他のステップまたは技法を含み得る。したがって、本開示の態様は、ｅＣＡの下でのＳＲＳを提供し得、それは、ＣＡまたはアグリゲートされたＣＣを用いる他のマルチキャリア構成に関する代替用語であり得る。
【０１５１】
[0159]  本明細書における説明は、当業者が本開示を製造するまたは使用することを可能にするために提供されている。本開示への様々な修正は、当業者にとって容易に明らかとなり、ここに定義された一般的な原理は、本開示の範囲から逸脱することなく、他のバリエーションにも適用され得る。したがって、本開示は、ここに説明された例および設計に限定されるべきではなく、ここに開示された原理および新規な特徴と一致する最も広い範囲を与えられるべきである。
【０１５２】
[0160]  ここで説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それら機能は、コンピュータ読み取り可能な媒体上の１つまたは複数の命令またはコードとして記憶または送信され得る。他の例およびインプリメンテーションが、添付の特許請求の範囲および本開示の範囲内にある。例えば、ソフトウェアの性質に起因して、ここで説明された機能は、ハードワイヤリング、ファームウェア、ハードウェア、またはプロセッサによって実行されるソフトウェアを使用してインプリメントされることができるか、あるいはこれらのうちの任意のものの組合せでインプリメントされることができる。機能をインプリメントする特徴はまた、機能の一部が異なる物理的ロケーションにおいてインプリメントされるように分配された状態を含む、様々な位置に物理的に配置され得る。また、請求項を含め、ここで使用される場合、項目のリスト（例えば、「のうちの少なくとも１つ」または「１つまたは複数」のような表現が付される項目のリスト）で使用される「または」は、例えば、Ａ、ＢまたはＣのうちの少なくとも１つというリストが、ＡまたはＢまたはＣまたはＡＢまたはＡＣまたはＢＣまたはＡＢＣ（すなわち、ＡおよびＢおよびＣ）を意味するように、包括的なリスト（an inclusive list）を示す。
【０１５３】
[0161]  コンピュータ読み取り可能な媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされることができる任意の利用可能な媒体であり得る。限定ではなく例として、非一時的なコンピュータ読み取り可能な媒体は、ＲＡＭ、ＲＯＭ、電気的に消去可能なプログラム可能な読み取り専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは命令またはデータ構造の形態で所望のプログラムコード手段を搬送または記憶するために使用されることができる、および、汎用または専用コンピュータあるいは汎用または専用プロセッサによってアクセスされることができる、いかなる他の非一時的な媒体も、備えることができる。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、ＣＤ、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disks）は、通常磁気的にデータを再生し、一方ディスク（discs）は、レーザーを用いて光学的にデータを再生する。上記の組合せもまた、コンピュータ読み取り可能な媒体の範囲内に含まれる。
【０１５４】
[0162]  ここに説明された技法は、ＣＤＭＡ、ＴＤＭＡ、ＦＤＭＡ、ＯＦＤＭＡ、単一キャリア周波数分割多元接続（ＳＣ−ＦＤＭＡ）、および他のシステムのような様々なワイヤレス通信システムのために使用され得る。「システム」および「ネットワーク」という用語は、しばしば交換可能に使用される。ＣＤＭＡシステムは、ＣＤＭＡ２０００、ユニバーサル地上波無線アクセス（ＵＴＲＡ）等のような無線技術をインプリメントし得る。ＣＤＭＡ２０００は、ＩＳ−２０００、ＩＳ−９５、ＩＳ−８５６規格をカバーする。ＩＳ−２０００リリース０およびＡは、通常ＣＤＭＡ２０００  １Ｘ、１Ｘ等と称される。ＩＳ−８５６（ＴＩＡ−８５６）は、通常ＣＤＭＡ２０００  １ｘＥＶ−ＤＯ、高レートパケットデータ（ＨＲＰＤ）等と称される。ＵＴＲＡは、広帯域ＣＤＭＡ（ＷＣＤＭＡ（登録商標））およびＣＤＭＡの他の変形を含む。ＴＤＭＡシステムは、（移動体通信のためのグローバルシステム（ＧＳＭ（登録商標）））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ  ８０２．１１、ＩＥＥＥ８０２．１６（ＷｉＭＡＸ）、ＩＥＥＥ８０２．２０、フラッシュＯＦＤＭ等のような無線技術をインプリメントし得る。ＵＴＲＡおよびＥ−ＵＴＲＡは、ユニバーサルモバイル電気通信システム（ユニバーサルモバイル電気通信システム（ＵＭＴＳ））の一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ）と名付けられた組織からの文書に説明されている。ＣＤＭＡ２０００およびＵＭＢは、「第３世代パートナーシッププロジェクト２」（３ＧＰＰ２）と名付けられた組織からの文書に説明されている。ここに説明された技法は、上述されたシステムおよび無線技術、ならびに他のシステムおよび無線技術のために使用され得る。それらの技法はＬＴＥアプリケーションを超えて適用可能であるのだが、しかしながら本明細書における説明は、例示の目的でＬＴＥシステムを説明しており、上述の説明の大部分でＬＴＥ用語が使用されている。
【０１５５】
[0163]  ここに説明されたネットワークを含むＬＴＥ／ＬＴＥ−Ａネットワークでは、発展型ノードＢ（ｅＮＢ）という用語は、一般に基地局を説明するために使用され得る。ここに説明された１つまたは複数のワイヤレス通信システムは、異なるタイプのｅＮＢが様々な地理的領域にカバレッジを提供する異種のＬＴＥ／ＬＴＥ−Ａネットワークを含み得る。例えば、各ｅＮＢまたは基地局は、マクロセル、スモールセル、または他のタイプのセルに通信カバレッジを提供し得る。「セル」という用語は、文脈に応じて、基地局、基地局に関連するキャリアまたはＣＣ、あるいは基地局またはキャリアのカバレッジエリア（例えば、セクタ等）を説明するために使用されることができる３ＧＰＰ用語である。
【０１５６】
[0164]  基地局は、当業者によって、トランシーバ基地局、無線基地局、アクセスポイント（ＡＰ）、無線トランシーバ、ノードＢ、ｅノードＢ（ｅＮＢ）、ホームノードＢ、ホームｅノードＢ、または何らかの他の好適な用語で呼ばれ得るか、またはそれらを含み得る。基地局の地理的なカバレッジエリアは、カバレッジエリアの一部のみを構成するセクタに分割され得る。ここに説明された１つまたは複数のワイヤレス通信システムは、異なるタイプの基地局（例えば、マクロまたはスモールセル基地局）を含み得る。ここに説明されるＵＥは、マクロｅＮＢ、スモールセルｅＮＢ、リレイ基地局等を含む様々なタイプの基地局およびネットワーク装置と通信することが可能であり得る。異なる技術について重複している地理的なカバレッジエリアが存在し得る。一部のケースでは、異なるカバレッジエリアは、異なる通信技術に関連し得る。一部のケースでは、１つの通信技術に関するカバレッジエリアは、別の技術に関連するカバレッジエリアとオーバーラップし得る。異なる技術は、同じ基地局に、または異なる基地局に、関連し得る。
【０１５７】
[0165]  マクロセルは、一般に、比較的広い地理的エリア（例えば、半径数キロメートル）をカバーし、ネットワークプロバイダにサービス加入しているＵＥによる無制限のアクセスを可能にし得る。スモールセルは、マクロセルと同じまたは異なる（例えば、ライセンス、アンライセンス等の）周波数帯域で動作し得る、マクロセルと比較してより低い電力の基地局である。スモールセルは、様々な例に従って、ピコセル、フェムトセル、およびマイクロセルを含み得る。例えば、ピコセルは、狭い地理的エリアをカバーし得、ネットワークプロバイダにサービス加入しているＵＥによる無制限のアクセスを可能にし得る。フェムトセルもまた、狭い地理的エリア（例えば、住居）をカバーし得、フェムトセルと関連のあるＵＥ（例えば、クローズド加入者グループ（ＣＳＧ）内のＵＥ、住居の中にいるユーザのためのＵＥ等）による制限付きのアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢまたはホームｅＮＢと呼ばれ得る。ｅＮＢは、１つまたは複数（例えば、２つ、３つ、４つ等）のセル（例えば、ＣＣ）をサポートし得る。ＵＥは、マクロｅＮＢ、スモールセルｅＮＢ、リレイ基地局等を含む様々なタイプの基地局およびネットワーク装置と通信することが可能であり得る。
【０１５８】
[0166]  ここに説明された１つまたは複数のワイヤレス通信システムは、同期または非同期動作をサポートし得る。同期動作の場合、複数の基地局は、同様のフレームタイミングを有し得、異なる基地局からの送信は、時間的にほぼアラインされ得る。非同期動作の場合、複数の基地局は、異なるフレームタイミングを有し得、異なる基地局からの送信は、時間的にアラインされない可能性がある。ここに説明された技法は、同期動作または非同期動作のいずれにも使用され得る。
【０１５９】
[0167]  ここに説明されたＤＬ送信はまた、フォワードリンク送信と呼ばれ得、一方で、ＵＬ送信はまた、リバースリンク送信と呼ばれ得る。例えば図１および図２のワイヤレス通信システム１００および２００を含む、ここに説明された各通信リンクは、１つまたは複数のキャリアを含み得、ここで、各キャリアは、（異なる周波数の波形信号等の）複数のサブキャリアから成る信号であり得る。各変調信号は、異なるサブキャリア上で送られ得、制御情報（例えば、基準信号、制御チャネル等）、オーバヘッド情報、ユーザデータ等を搬送し得る。ここに説明された通信リンク（例えば、図１の通信リンク１２５）は、（例えば、ペアになったスペクトルリソースを使用する）ＦＤＤ、または（例えば、ペアになっていないスペクトルリソースを使用する）ＴＤＤ動作を使用して、双方向通信を送信し得る。ＦＤＤのためのフレーム構造（例えば、フレーム構造タイプ１）およびＴＤＤのためのフレーム構造（例えば、フレーム構造タイプ２）が定義され得る。
【０１６０】
[0168]  したがって、本開示の態様は、非対称のｅＣＡの下でのＳＲＳを提供し得る。これらの方法は可能性のあるインプリメンテーションを説明するものであること、ならびに動作およびステップは他のインプリメンテーションが可能であるように再配置または他の方法で修正され得ること、に留意されたい。いくつかの例では、これら方法のうちの２つ以上からの態様は、組み合わせられ得る。
【０１６１】
[0169]  本明細書における開示に関連して説明された様々な例示的なブロックおよびモジュールは、汎用プロセッサ、デジタルシグナルプロセッサ（ＤＳＰ）、ＡＳＩＣ、フィールドプログラマブルゲートアレイ（ＦＰＧＡ）または他のプログラマブル論理デバイス、ディスクリートゲートまたはトランジスタ論理、ディスクリートハードウェアコンポーネント、あるいはここに説明された機能を実施するように設計されたそれらの任意の組合せを用いてインプリメントまたは実施され得る。汎用プロセッサは、マイクロプロセッサであり得るが、別の方法では、プロセッサはいかなる従来のプロセッサ、コントローラ、マイクロコントローラ、またはステートマシンでもあり得る。プロセッサはまた、コンピューティングデバイスの組合せ（例えば、ＤＳＰとマイクロプロセッサとの組合せ、複数のマイクロプロセッサ、ＤＳＰコアと連携した１つまたは複数のマイクロプロセッサ、または任意の他のそのような構成）としてインプリメントされ得る。したがって、ここに説明された機能は、少なくとも１つの集積回路（ＩＣ）上で、１つまたは複数の他の処理ユニット（またはコア）によって実施され得る。様々な例において、異なるタイプのＩＣが使用され得（例えば、構造化／プラットフォームＡＳＩＣ（Structured/Platform ASICs）、ＦＰＧＡ、または別のセミカスタムＩＣ）、それらは当該技術分野において知られているいかなる方法によってもプログラムされ得る。各ユニットの機能はまた、全体または部分的に、１つまたは複数の汎用または特定用途向けプロセッサによって実行されるようにフォーマット化された、メモリに統合（embodied in）された命令を用いて、インプリメントされ得る。
【０１６２】
[0170]  添付の図面では、同様のコンポーネントまたは特徴は、同じ参照ラベルを有し得る。さらに、同じタイプの様々なコンポーネントは、参照ラベルの後にダッシュと同様のコンポーネント同士を区別する第２のラベルとを続けることによって、区別され得る。明細書において単に第１の参照ラベルだけが使用される場合、その説明は、第２の参照ラベルに関係なく、同じ第１の参照ラベルを有する同様のコンポーネントのうちのいずれのものにも適用可能である。
【図１】
2019510420.tif 000003
【図２】
2019510420.tif 000004
【図３】
2019510420.tif 000005
【図４】
2019510420.tif 000006
【図５】
2019510420.tif 000007
【図６】
2019510420.tif 000008
【図７】
2019510420.tif 000009
【図８】
2019510420.tif 000010
【図９】
2019510420.tif 000011
【図１０】
2019510420.tif 000012
【図１１】
2019510420.tif 000013
【図１２】
2019510420.tif 000014
【図１３】
2019510420.tif 000015
【図１４】
2019510420.tif 000016
【図１５】
2019510420.tif 000017
【図１６】
2019510420.tif 000018
【図１７】
2019510420.tif 000019
【図１８】
2019510420.tif 000020
【図１９】
2019510420.tif 000021
【国際調査報告】
2019510420.tif 000022
2019510420.tif 000023
2019510420.tif 000024